(57)【特許請求の範囲】
【請求項１】
室外熱交換器、吸収器伝熱管、及び凝縮器伝熱管を順に環状接続してなり、冷房運転時には冷却水ポンプにより冷却水を循環させ、暖房運転時には前記冷却水が抜かれる冷却水回路と、
送風ファンを付設した室内熱交換器、及び蒸発器伝熱管を環状接続してなり、冷温水ポンプにより冷温水を循環させる冷温水回路と、
吸収液が入れられ加熱部が加熱源により加熱される再生器、前記凝縮器伝熱管を配設し前記再生器から高温の蒸気冷媒が送り込まれる凝縮器、暖房運転時には高温の吸収液及び蒸気冷媒が送り込まれ冷房運転時には前記凝縮器で液化した液冷媒を蒸発させる蒸発器、該蒸発器に併設され前記吸収器伝熱管を配設し冷房運転時には前記蒸発器で蒸発した蒸気冷媒を前記再生器から送られる濃縮吸収液に吸収させる吸収器、及び吸収器内の吸収液を前記再生器に戻す溶液ポンプを有する吸収液回路と、
前記冷温水の温度を検出する冷温水センサ、前記再生器の温度を検出する再生器温度センサ、及び前記蒸発器の温度を検出する蒸発器温度センサを含み、冷房・暖房運転に必要な複数のセンサと、
再生器温度に対応した回転数で回転する様に前記溶液ポンプ及び前記冷温水ポンプを制御し、前記冷温水が所定温度を維持する様に前記加熱源の加熱力を制御する制御器とを具備し、前記送風ファンにより冷風又は温風を室内に送風して室内冷暖房を行う吸収式空調装置において、
前記制御器は、
冷房運転時に、前記再生器の過熱を検知した場合には冷房高温エラーと判定して冷房高温エラー停止処理を指示し、前記蒸発器の異常低温を検知した場合には冷房低温エラーと判定して冷房低温エラー停止処理を指示し、前記再生器温度センサの故障を検知した場合には冷房強制エラーと判定して冷房強制エラー停止処理を指示し、他のセンサの故障又は他の運転異常を検知した場合には冷房通常エラーと判定して冷房通常エラー停止処理を指示し、
暖房運転時に、前記再生器の過熱を検知した場合には暖房高温エラーと判定して暖房高温エラー停止処理を指示し、前記再生器温度センサの故障を検知した場合には暖房強制エラーと判定して暖房強制エラー停止処理を指示し、他のセンサの故障又は他の運転異常を検知した場合には暖房通常エラーと判定して暖房通常エラー停止処理を指示する事を特徴とする吸収式空調装置。
【請求項２】
室外熱交換器、吸収器伝熱管、及び凝縮器伝熱管を順に環状接続してなり、冷房運転時には冷却水ポンプにより冷却水を循環させ、暖房運転時には前記冷却水が抜かれる冷却水回路と、
送風ファンを付設した室内熱交換器、及び蒸発器伝熱管を環状接続してなり、冷温水ポンプにより冷温水を循環させる冷温水回路と、
吸収液が入れられ加熱部が加熱源により加熱され冷房運転時には低濃度吸収液中の冷媒を気化させて中濃度吸収液と蒸気冷媒とに分離する高温再生器、該高温再生器を包囲し冷房運転時には前記中濃度吸収液を高濃度吸収液と蒸気冷媒とに分離する低温再生器、前記凝縮器伝熱管を配設し暖房運転時には前記高温再生器から高温の蒸気冷媒が送り込まれ冷房運転時には各再生器から高温の蒸気冷媒が送り込まれる凝縮器、暖房運転時には前記高温再生器から高温の吸収液が送り込まれるとともに前記凝縮器から高温の蒸気冷媒が送り込まれ、冷房運転時には前記凝縮器で液化した液冷媒を蒸発させる蒸発器、該蒸発器に併設され前記吸収器伝熱管を配設し冷房運転時には前記蒸発器で蒸発した蒸気冷媒を前記低温再生器から送られる高濃度吸収液に吸収させる吸収器、及び吸収器内の吸収液を前記高温再生器に戻す溶液ポンプを有する吸収液回路と、
前記冷温水の温度を検出する冷温水センサ、前記高温再生器の温度を検出する高温再生器温度センサ、及び前記蒸発器の温度を検出する蒸発器温度センサを含み、冷房・暖房運転に必要な複数のセンサと、
高温再生器温度に対応した回転数で回転する様に前記溶液ポンプ及び前記冷温水ポンプを制御し、前記冷温水が所定温度を維持する様に前記加熱源の加熱力を制御する制御器とを具備し、前記送風ファンにより冷風又は温風を室内に送風して室内冷暖房を行う吸収式空調装置において、
前記制御器は、
冷房運転時に、前記高温再生器の過熱を検知した場合には冷房高温エラーと判定して冷房高温エラー停止処理を指示し、前記蒸発器の異常低温を検知した場合には冷房低温エラーと判定して冷房低温エラー停止処理を指示し、前記高温再生器温度センサの故障を検知した場合には冷房強制エラーと判定して冷房強制エラー停止処理を指示し、他のセンサの故障又は他の運転異常を検知した場合には冷房通常エラーと判定して冷房通常エラー停止処理を指示し、
暖房運転時に、前記高温再生器の過熱を検知した場合には暖房高温エラーと判定して暖房高温エラー停止処理を指示し、前記高温再生器温度センサの故障を検知した場合には暖房強制エラーと判定して暖房強制エラー停止処理を指示し、他のセンサの故障又は他の運転異常を検知した場合には暖房通常エラーと判定して暖房通常エラー停止処理を指示する事を特徴とする吸収式空調装置。
【請求項３】
室外熱交換器、吸収器伝熱管、及び凝縮器伝熱管を順に環状接続してなり、冷房運転時には冷却水ポンプにより冷却水を循環させ、暖房運転時には前記冷却水が抜かれる冷却水回路と、
送風ファンを付設した室内熱交換器、及び蒸発器伝熱管を環状接続してなり、タンデムポンプの冷温水ポンプ部により冷温水を循環させる冷温水回路と、
吸収液が入れられ加熱部が加熱源により加熱され冷房運転時には低濃度吸収液中の冷媒を気化させて中濃度吸収液と蒸気冷媒とに分離する高温再生器、該高温再生器を包囲し冷房運転時には前記中濃度吸収液を高濃度吸収液と蒸気冷媒とに分離する低温再生器、前記凝縮器伝熱管を配設し暖房運転時には前記高温再生器から高温の蒸気冷媒が送り込まれ冷房運転時には各再生器から高温の蒸気冷媒が送り込まれる凝縮器、暖房運転時には前記高温再生器から冷暖切替弁を介して高温の吸収液が送り込まれ前記凝縮器から冷媒弁を介して高温の蒸気冷媒が送り込まれ冷房運転時には前記凝縮器で液化し前記冷媒弁を介して送り込まれる液冷媒を蒸発させる蒸発器、該蒸発器に併設され前記吸収器伝熱管を配設し冷房運転時には前記蒸発器で蒸発した蒸気冷媒を前記低温再生器から送られる高濃度吸収液に吸収させる吸収器、及び吸収器内の吸収液を前記高温再生器に戻す前記タンデムポンプの溶液ポンプ部を有する吸収液回路と、
前記冷温水の温度を検出する冷温水センサ、前記高温再生器の温度を検出する高温再生器温度センサ、及び前記蒸発器の温度を検出する蒸発器温度センサを含み、冷房・暖房運転に必要な複数のセンサと、
前記冷却水ポンプ、前記冷暖切替弁、及び前記冷媒弁の制御に加え、高温再生器温度に対応した回転数で回転する様に前記タンデムポンプを制御し、前記冷温水が所定温度を維持する様に前記加熱源の加熱力を制御する制御器とを具備し、前記送風ファンにより冷風又は温風を室内に送風して室内冷暖房を行う吸収式空調装置において、
前記制御器は、
冷房運転時に、前記高温再生器の過熱を検知した場合には冷房高温エラーと判定して冷房高温エラー停止処理を指示し、前記蒸発器の異常低温を検知した場合には冷房低温エラーと判定して冷房低温エラー停止処理を指示し、前記高温再生器温度センサの短絡・断線を検知した場合には冷房強制エラーと判定して冷房強制エラー停止処理を指示し、他のセンサの短絡・断線又は他の運転異常を検知した場合には冷房通常エラーと判定して冷房通常エラー停止処理を指示し、
暖房運転時に、前記高温再生器の過熱を検知した場合には暖房高温エラーと判定して暖房高温エラー停止処理を指示し、前記高温再生器温度センサの短絡・断線を検知した場合には暖房強制エラーと判定して暖房強制エラー停止処理を指示し、他のセンサの短絡・断線又は他の運転異常を検知した場合には暖房通常エラーと判定して暖房通常エラー停止処理を指示する事を特徴とする吸収式空調装置。
【請求項４】
前記冷房高温エラー停止処理は、前記加熱源の作動を停止させ、加熱停止から第１所定短時間のあいだ前記冷媒弁を開弁維持し前記冷却水ポンプの作動を継続し、前記第１所定短時間が終了すると前記冷却水ポンプを停止し前記冷媒弁を閉弁し、第１所定短時間経過後において高温再生器温度が所定第１高温度以下に低下すると前記冷暖切替弁及び前記冷媒弁を開弁維持し、高温再生器温度が更に所定中温度以下に低下すると前記タンデムポンプを停止し前記冷媒弁及び前記冷暖切替弁を閉弁して行い、
前記冷房低温エラー停止処理は、前記加熱源の作動を停止させ、加熱停止から前記第１所定短時間のあいだ前記冷媒弁を開弁維持し前記冷却水ポンプの作動を継続し、前記第１所定短時間が終了すると前記冷却水ポンプを停止し前記冷暖切替弁及び前記冷媒弁を開弁維持し、第１所定短時間経過後において高温再生器温度が所定第２高温度以下に低下すると前記冷媒弁を閉弁し前記冷暖切替弁を開弁維持し、高温再生器温度が更に所定中温度以下に低下すると所定中温度以下に低下した時点から第２所定短時間のあいだ前記冷暖切替弁を開弁維持し前記タンデムポンプを所定低回転数で回転させ、前記第２所定短時間が経過すると前記冷暖切替弁及び前記冷媒弁を閉弁し前記タンデムポンプを停止して行い、
前記冷房強制エラー停止処理は、前記加熱源の作動を停止させ、加熱停止から前記第１所定短時間のあいだ前記冷媒弁を開弁維持し前記冷却水ポンプの作動を継続し、前記第１所定短時間が終了すると前記冷却水ポンプを停止し前記冷媒弁を開弁維持し、加熱停止から第１所定時間が経過すると前記冷暖切替弁及び前記冷媒弁を開弁維持し、加熱停止から更に第２所定時間が経過すると前記冷媒弁及び前記冷暖切替弁を閉弁し前記タンデムポンプを停止して行い、
前記冷房通常エラー停止処理は、前記加熱源の作動を停止させ、加熱停止から前記第１所定短時間のあいだ前記冷却水ポンプの作動を継続し、前記第１所定短時間が終了すると前記冷却水ポンプを停止し、第１所定短時間経過後において高温再生器温度が所定第１高温度以下に低下すると前記冷暖切替弁を開弁維持し、高温再生器温度が更に所定中温度以下に低下すると前記冷暖切替弁を閉弁し前記タンデムポンプを停止して行い、
前記暖房高温エラー停止処理及び前記暖房通常エラー停止処理は、前記加熱源の作動を停止させ、加熱停止から第３所定短時間のあいだ前記冷媒弁及び前記冷暖切替弁を開弁維持し、前記第３所定短時間経過後において高温再生器温度が所定低温度以下に低下すると前記冷媒弁及び前記冷暖切替弁を閉弁し前記タンデムポンプを停止して行い、
前記暖房強制エラー停止処理は、前記加熱源の作動を停止させ、加熱停止から第３所定時間のあいだ前記冷媒弁及び前記冷暖切替弁を開弁維持し前記タンデムポンプを所定高回転数で回転させ、加熱停止から第３所定時間経過後において前記冷媒弁及び前記冷暖切替弁を閉弁し前記タンデムポンプを停止して行う事を特徴とする請求項３記載の吸収式空調装置。
【請求項５】
エラー停止により冷房・暖房運転が停止すると、解除されるまで再運転を禁止するエラー停止モードに入り、
上記冷房・暖房通常エラーによるエラー停止モードの解除を、他のエラーによるエラー停止モードの解除より容易にした事を特徴とする請求項１乃至請求項４の何れかに記載の吸収式空調装置。
【発明の詳細な説明】
【０００１】
【発明の属する技術分野】
本発明は、吸収液を用いる吸収式空調装置に関する。
【０００２】
室外熱交換器、吸収器伝熱管、及び凝縮器伝熱管を順に環状接続してなり、冷房運転時には冷却水ポンプにより冷却水を循環させ、暖房運転時には前記冷却水が抜かれる冷却水回路と、
送風ファンを付設した室内熱交換器、及び蒸発器伝熱管を環状接続してなり、タンデムポンプの冷温水ポンプ部により冷温水を循環させる冷温水回路と、
吸収液が入れられ加熱部がガスバーナ等の加熱源により加熱され冷房運転時には低濃度吸収液中の冷媒を気化させて中濃度吸収液と蒸気冷媒とに分離する高温再生器、該高温再生器を包囲し冷房運転時には前記中濃度吸収液を高濃度吸収液と蒸気冷媒とに分離する低温再生器、前記凝縮器伝熱管を配設し暖房運転時には前記高温再生器から高温の蒸気冷媒が送り込まれるとともに冷房運転時には各再生器から高温の蒸気冷媒が送り込まれる凝縮器、暖房運転時には前記高温再生器から冷暖切替弁を介して高温の吸収液が送り込まれるとともに前記凝縮器から冷媒弁を介して高温の蒸気冷媒が送り込まれ、冷房運転時には前記凝縮器で液化し前記冷媒弁を介して送り込まれる液冷媒を蒸発させる蒸発器、該蒸発器に併設され前記吸収器伝熱管を配設し冷房運転時には前記蒸発器で蒸発した蒸気冷媒を前記低温再生器から送られる高濃度吸収液に吸収させる吸収器、及び吸収器内の吸収液を前記高温再生器に戻す前記タンデムポンプの溶液ポンプ部を有する吸収液回路と、
前記冷温水の温度を検出する冷温水センサ、前記高温再生器の温度を検出する高温再生器温度センサ、及び前記蒸発器の温度を検出する蒸発器温度センサを含み、冷房・暖房運転に必要な複数のセンサと、
前記冷却水ポンプ、前記冷暖切替弁、及び前記冷媒弁の制御に加え、高温再生器温度に対応した回転数で回転する様に前記タンデムポンプを制御し、
暖房運転の暖房比例制御時には、室内熱交換器に供給される冷温水の温度が所定温度（例えば６０℃）に維持される様に前記ガスバーナのインプットを比例制御し、
冷房運転の冷房比例制御時には、室内熱交換器に供給される冷温水の温度が所定温度（例えば７℃）に維持される様に前記ガスバーナのインプットを比例制御する制御器とを有し、前記送風ファンにより冷風又は温風を室内に送風して室内冷暖房を行う、フロンを使用しない吸収式空調装置が近年、注目されている。
【０００３】
この吸収式空調装置では、冷房運転時又は暖房運転時に、つぎの運転不良を検知すると、以下に示すエラー処理（同一のエラー処理）を行っていた。又、同一のエラー解除方法によりエラーを解除していた（図１６参照）。
【０００４】
〔運転不良〕
冷房運転時における高温再生器の過熱、冷房運転時における蒸発器の異常低温、冷房運転時における他の運転異常、暖房運転時における高温再生器の過熱、暖房運転時における他の運転異常。
【０００５】
〔エラー処理〕
運転異常の検知によりガスバーナを消火する。燃焼ファンはポスト回転数、冷暖切替弁は開弁（暖房運転時）又は閉弁（冷房運転時）、タンデムポンプはＨＧＥ温度に応じた回転数。
ガスバーナの消火から数秒間、冷媒弁を開弁維持し、冷却水ポンプの作動を継続（冷房運転時）し、冷暖切替弁の状態を維持する。
ＨＧＥ≦１１０℃になるとタンデムポンプを停止し、冷媒弁を閉弁し、冷暖切替弁を閉弁し、燃焼ファンを停止する。
【０００６】
〔エラー解除〕
屋外に設置した室外機に配設された電源スイッチを一旦オフし、オンする。
【０００７】
【発明が解決しようとする課題】
運転不良が発生しエラー処理が実施された場合の状態を調査したところ、発明者らは、この吸収式空調装置には、以下に示す課題がある事を見い出した。
【０００８】
▲１▼運転不良の種類によっては、適切なエラー処理とならないので、吸収液が晶析する虞がある。
▲２▼運転不良の種類によっては、再立ち上げに時間がかかる。
▲３▼高温再生器の温度センサが故障（断線や短絡）すると、エラー処理が正常に行えない。
▲４▼軽度の運転不良でも、例えば屋外に出て室外機に設けられた電源スイッチを操作する必要があり、面倒である。
【０００９】
本発明の第１の目的は、運転の種別やエラーの種類に適したエラー処理が成され、吸収液の晶析が防止できるとともに、再立ち上げの時間を短縮できる吸収式空調装置の提供にある。
【００１０】
本発明の第２の目的は、軽度のエラーの場合には、重度のエラーの場合よりも容易にエラーを解除する事ができ、使い勝手に優れた吸収式空調装置の提供にある。
【００１１】
【課題を解決するための手段】
上記課題を解決するため、本発明は、以下の構成を採用した。
（１）室外熱交換器、吸収器伝熱管、及び凝縮器伝熱管を順に環状接続してなり、冷房運転時には冷却水ポンプにより冷却水を循環させ、暖房運転時には前記冷却水が抜かれる冷却水回路と、送風ファンを付設した室内熱交換器、及び蒸発器伝熱管を環状接続してなり、冷温水ポンプにより冷温水を循環させる冷温水回路と、吸収液が入れられ加熱部が加熱源により加熱される再生器、前記凝縮器伝熱管を配設し前記再生器から高温の蒸気冷媒が送り込まれる凝縮器、暖房運転時には高温の吸収液及び蒸気冷媒が送り込まれ冷房運転時には前記凝縮器で液化した液冷媒を蒸発させる蒸発器、該蒸発器に併設され前記吸収器伝熱管を配設し冷房運転時には前記蒸発器で蒸発した蒸気冷媒を前記再生器から送られる濃縮吸収液に吸収させる吸収器、及び吸収器内の吸収液を前記再生器に戻す溶液ポンプを有する吸収液回路と、前記冷温水の温度を検出する冷温水センサ、前記再生器の温度を検出する再生器温度センサ、及び前記蒸発器の温度を検出する蒸発器温度センサを含み、冷房・暖房運転に必要な複数のセンサと、再生器温度に対応した回転数で回転する様に前記溶液ポンプ及び前記冷温水ポンプを制御し、前記冷温水が所定温度を維持する様に前記加熱源の加熱力を制御する制御器とを具備し、前記送風ファンにより冷風又は温風を室内に送風して室内冷暖房を行う吸収式空調装置において、前記制御器は、冷房運転時に、前記再生器の過熱を検知した場合には冷房高温エラーと判定して冷房高温エラー停止処理を指示し、前記蒸発器の異常低温を検知した場合には冷房低温エラーと判定して冷房低温エラー停止処理を指示し、前記再生器温度センサの故障を検知した場合には冷房強制エラーと判定して冷房強制エラー停止処理を指示し、他のセンサの故障又は他の運転異常を検知した場合には冷房通常エラーと判定して冷房通常エラー停止処理を指示し、
暖房運転時に、前記再生器の過熱を検知した場合には暖房高温エラーと判定して暖房高温エラー停止処理を指示し、前記再生器温度センサの故障を検知した場合には暖房強制エラーと判定して暖房強制エラー停止処理を指示し、他のセンサの故障又は他の運転異常を検知した場合には暖房通常エラーと判定して暖房通常エラー停止処理を指示する。
【００１２】
（２）室外熱交換器、吸収器伝熱管、及び凝縮器伝熱管を順に環状接続してなり、冷房運転時には冷却水ポンプにより冷却水を循環させ、暖房運転時には前記冷却水が抜かれる冷却水回路と、送風ファンを付設した室内熱交換器、及び蒸発器伝熱管を環状接続してなり、冷温水ポンプにより冷温水を循環させる冷温水回路と、吸収液が入れられ加熱部が加熱源により加熱され冷房運転時には低濃度吸収液中の冷媒を気化させて中濃度吸収液と蒸気冷媒とに分離する高温再生器、該高温再生器を包囲し冷房運転時には前記中濃度吸収液を高濃度吸収液と蒸気冷媒とに分離する低温再生器、前記凝縮器伝熱管を配設し暖房運転時には前記高温再生器から高温の蒸気冷媒が送り込まれ冷房運転時には各再生器から高温の蒸気冷媒が送り込まれる凝縮器、暖房運転時には前記高温再生器から高温の吸収液が送り込まれるとともに前記凝縮器から高温の蒸気冷媒が送り込まれ、冷房運転時には前記凝縮器で液化した液冷媒を蒸発させる蒸発器、該蒸発器に併設され前記吸収器伝熱管を配設し冷房運転時には前記蒸発器で蒸発した蒸気冷媒を前記低温再生器から送られる高濃度吸収液に吸収させる吸収器、及び吸収器内の吸収液を前記高温再生器に戻す溶液ポンプを有する吸収液回路と、前記冷温水の温度を検出する冷温水センサ、前記高温再生器の温度を検出する高温再生器温度センサ、及び前記蒸発器の温度を検出する蒸発器温度センサを含み、冷房・暖房運転に必要な複数のセンサと、高温再生器温度に対応した回転数で回転する様に前記溶液ポンプ及び前記冷温水ポンプを制御し、前記冷温水が所定温度を維持する様に前記加熱源の加熱力を制御する制御器とを具備し、前記送風ファンにより冷風又は温風を室内に送風して室内冷暖房を行う吸収式空調装置において、前記制御器は、冷房運転時に、前記高温再生器の過熱を検知した場合には冷房高温エラーと判定して冷房高温エラー停止処理を指示し、前記蒸発器の異常低温を検知した場合には冷房低温エラーと判定して冷房低温エラー停止処理を指示し、前記高温再生器温度センサの故障を検知した場合には冷房強制エラーと判定して冷房強制エラー停止処理を指示し、他のセンサの故障又は他の運転異常を検知した場合には冷房通常エラーと判定して冷房通常エラー停止処理を指示し、暖房運転時に、前記高温再生器の過熱を検知した場合には暖房高温エラーと判定して暖房高温エラー停止処理を指示し、前記高温再生器温度センサの故障を検知した場合には暖房強制エラーと判定して暖房強制エラー停止処理を指示し、他のセンサの故障又は他の運転異常を検知した場合には暖房通常エラーと判定して暖房通常エラー停止処理を指示する。
【００１３】
（３）室外熱交換器、吸収器伝熱管、及び凝縮器伝熱管を順に環状接続してなり、冷房運転時には冷却水ポンプにより冷却水を循環させ、暖房運転時には前記冷却水が抜かれる冷却水回路と、送風ファンを付設した室内熱交換器、及び蒸発器伝熱管を環状接続してなり、タンデムポンプの冷温水ポンプ部により冷温水を循環させる冷温水回路と、吸収液が入れられ加熱部が加熱源により加熱され冷房運転時には低濃度吸収液中の冷媒を気化させて中濃度吸収液と蒸気冷媒とに分離する高温再生器、該高温再生器を包囲し冷房運転時には前記中濃度吸収液を高濃度吸収液と蒸気冷媒とに分離する低温再生器、前記凝縮器伝熱管を配設し暖房運転時には前記高温再生器から高温の蒸気冷媒が送り込まれ冷房運転時には各再生器から高温の蒸気冷媒が送り込まれる凝縮器、暖房運転時には前記高温再生器から冷暖切替弁を介して高温の吸収液が送り込まれ前記凝縮器から冷媒弁を介して高温の蒸気冷媒が送り込まれ冷房運転時には前記凝縮器で液化し前記冷媒弁を介して送り込まれる液冷媒を蒸発させる蒸発器、該蒸発器に併設され前記吸収器伝熱管を配設し冷房運転時には前記蒸発器で蒸発した蒸気冷媒を前記低温再生器から送られる高濃度吸収液に吸収させる吸収器、及び吸収器内の吸収液を前記高温再生器に戻す前記タンデムポンプの溶液ポンプ部を有する吸収液回路と、前記冷温水の温度を検出する冷温水センサ、前記高温再生器の温度を検出する高温再生器温度センサ、及び前記蒸発器の温度を検出する蒸発器温度センサを含み、冷房・暖房運転に必要な複数のセンサと、前記冷却水ポンプ、前記冷暖切替弁、及び前記冷媒弁の制御に加え、高温再生器温度に対応した回転数で回転する様に前記タンデムポンプを制御し、前記冷温水が所定温度を維持する様に前記加熱源の加熱力を制御する制御器とを具備し、前記送風ファンにより冷風又は温風を室内に送風して室内冷暖房を行う吸収式空調装置において、前記制御器は、冷房運転時に、前記高温再生器の過熱を検知した場合には冷房高温エラーと判定して冷房高温エラー停止処理を指示し、前記蒸発器の異常低温を検知した場合には冷房低温エラーと判定して冷房低温エラー停止処理を指示し、前記高温再生器温度センサの短絡・断線を検知した場合には冷房強制エラーと判定して冷房強制エラー停止処理を指示し、他のセンサの短絡・断線又は他の運転異常を検知した場合には冷房通常エラーと判定して冷房通常エラー停止処理を指示し、暖房運転時に、前記高温再生器の過熱を検知した場合には暖房高温エラーと判定して暖房高温エラー停止処理を指示し、前記高温再生器温度センサの短絡・断線を検知した場合には暖房強制エラーと判定して暖房強制エラー停止処理を指示し、他のセンサの短絡・断線又は他の運転異常を検知した場合には暖房通常エラーと判定して暖房通常エラー停止処理を指示する。
【００１４】
（４）前記冷房高温エラー停止処理は、前記加熱源の作動を停止させ、加熱停止から第１所定短時間（例えば１０秒）のあいだ前記冷媒弁を開弁維持し前記冷却水ポンプの作動を継続し、前記第１所定短時間が終了すると前記冷却水ポンプを停止し前記冷媒弁を閉弁し、第１所定短時間経過後において高温再生器温度が所定第１高温度以下（例えば≦１２５℃）に低下すると前記冷暖切替弁及び前記冷媒弁を開弁維持し、高温再生器温度が更に所定中温度以下（例えば≦１１０℃）に低下すると前記タンデムポンプを停止し前記冷媒弁及び前記冷暖切替弁を閉弁して行い、前記冷房低温エラー停止処理は、前記加熱源の作動を停止させ、加熱停止から前記第１所定短時間のあいだ前記冷媒弁を開弁維持し前記冷却水ポンプの作動を継続し、前記第１所定短時間が終了すると前記冷却水ポンプを停止し前記冷暖切替弁及び前記冷媒弁を開弁維持し、第１所定短時間経過後において高温再生器温度が所定第２高温度以下（例えば≦１３０℃）に低下すると前記冷媒弁を閉弁し前記冷暖切替弁を開弁維持し、高温再生器温度が更に所定中温度以下に低下すると所定中温度以下に低下した時点から第２所定短時間（例えば２０秒）のあいだ前記冷暖切替弁を開弁維持し前記タンデムポンプを所定低回転数（例えば１８００ｒｐｍ）で回転させ、前記第２所定短時間が経過すると前記冷暖切替弁及び前記冷媒弁を閉弁し前記タンデムポンプを停止して行い、前記冷房強制エラー停止処理は、前記加熱源の作動を停止させ、加熱停止から前記第１所定短時間のあいだ前記冷媒弁を開弁維持し前記冷却水ポンプの作動を継続し、前記第１所定短時間が終了すると前記冷却水ポンプを停止し前記冷媒弁を開弁維持し、加熱停止から第１所定時間（例えば３分４０秒）が経過すると前記冷暖切替弁及び前記冷媒弁を開弁維持し、加熱停止から更に第２所定時間（例えば４分１０秒）が経過すると前記冷媒弁及び前記冷暖切替弁を閉弁し前記タンデムポンプを停止して行い、前記冷房通常エラー停止処理は、前記加熱源の作動を停止させ、加熱停止から前記第１所定短時間のあいだ前記冷却水ポンプの作動を継続し、前記第１所定短時間が終了すると前記冷却水ポンプを停止し、第１所定短時間経過後において高温再生器温度が所定第１高温度以下に低下すると前記冷暖切替弁を開弁維持し、高温再生器温度が更に所定中温度以下に低下すると前記冷暖切替弁を閉弁し前記タンデムポンプを停止して行い、前記暖房高温エラー停止処理及び前記暖房通常エラー停止処理は、前記加熱源の作動を停止させ、加熱停止から第３所定短時間（例えば５秒）のあいだ前記冷媒弁及び前記冷暖切替弁を開弁維持し、前記第３所定短時間経過後において高温再生器温度が所定低温度以下（例えば≦９０℃）に低下すると前記冷媒弁及び前記冷暖切替弁を閉弁し前記タンデムポンプを停止して行い、前記暖房強制エラー停止処理は、前記加熱源の作動を停止させ、加熱停止から第３所定時間（例えば４分）のあいだ前記冷媒弁及び前記冷暖切替弁を開弁維持し前記タンデムポンプを所定高回転数（例えば２４００ｒｐｍ）で回転させ、加熱停止から第３所定時間経過後において前記冷媒弁及び前記冷暖切替弁を閉弁し前記タンデムポンプを停止して行う事を特徴とする請求項３記載の吸収式空調装置。
【００１５】
（５）上記(1) 〜(4) の何れかの構成を有し、エラー停止により冷房・暖房運転が停止すると、解除されるまで再運転を禁止するエラー停止モードに入り、上記冷房・暖房通常エラーによるエラー停止モードの解除を、他のエラーによるエラー停止モードの解除より容易にした。
【００１６】
【作用】
〔請求項１について〕
吸収液が入れられた再生器の加熱部が加熱源により加熱される（冷房／暖房運転時）。
冷房運転時、高温の蒸気冷媒が再生器から凝縮器内に送り込まれ、凝縮器伝熱管には冷却水が流れているので液化して凝縮器内に溜まる。
又、暖房運転時には、再生器から、高温の蒸気冷媒が凝縮器内に送り込まれるが、冷却水回路の冷却水が抜かれているので、高温の状態で蒸発器内に送り込まれる。
【００１７】
冷房運転時、凝縮器から蒸発器内に送り込まれた液冷媒は、冷温水が流れる蒸発器伝熱管に当たって蒸発し、冷温水を冷却する。そして、冷却された冷温水が冷却水ポンプにより室内熱交換器に供給されて室内熱交換器を通過し、送風ファンが冷風を室内に送風する事により室内冷房が行われる。
【００１８】
暖房運転時、蒸発器内へは、凝縮器からの高温の蒸気冷媒と、再生器からの高温の吸収液とが送り込まれる。これにより、蒸発器伝熱管を流れる冷温水が加熱される。そして、昇温した冷温水が冷温水ポンプにより室内熱交換器に供給されて室内熱交換器を通過し、送風ファンが温風を室内に送風する事により室内暖房が行われる。
【００１９】
冷房運転時、蒸発器で蒸発して吸収器に入った蒸気冷媒は、再生器から送られる濃縮吸収液に吸収され、稀釈吸収液となって吸収器内に溜まる。
暖房運転時は、蒸発器内の吸収液が吸収器に進入し、吸収器内に溜まる。
【００２０】
制御器は、冷温水が所定温度を維持する様に加熱源の加熱力を比例制御し、再生器温度に対応した回転数で回転する様に溶液ポンプを制御し、吸収器内に溜まった吸収液は再生器内に戻される（冷房／暖房運転時）。
【００２１】
制御器は、冷房運転時に、再生器の過熱を検知した場合には冷房高温エラーと判定して冷房高温エラー停止処理を指示し、蒸発器の異常低温を検知した場合には冷房低温エラーと判定して冷房低温エラー停止処理を指示し、再生器温度センサの故障を検知した場合には冷房強制エラーと判定して冷房強制エラー停止処理を指示し、他のセンサの故障又は他の運転異常を検知した場合には冷房通常エラーと判定して冷房通常エラー停止処理を指示し、暖房運転時に、再生器の過熱を検知した場合には暖房高温エラーと判定して暖房高温エラー停止処理を指示し、再生器温度センサの故障を検知した場合には暖房強制エラーと判定して暖房強制エラー停止処理を指示し、他のセンサの故障又は他の運転異常を検知した場合には暖房通常エラーと判定して暖房通常エラー停止処理を指示し、吸収式空調装置は指示された各エラー処理を実施してエラー停止する。
【００２２】
〔請求項２について〕
吸収液が入れられた高温再生器は、加熱部が加熱源により加熱される（冷房／暖房運転時）。
冷房運転時、高温再生器内に入れられた低濃度吸収液の冷媒が気化する為、中濃度吸収液と高温の蒸気冷媒とに分離し、中濃度吸収液が低温再生器に送り込まれる。
冷房運転時には各再生器から高温の蒸気冷媒が凝縮器に送り込まれる。
冷房運転時、凝縮器伝熱管には冷却水が流れているので、高温の蒸気冷媒は液化して凝縮器内に溜まる。
【００２３】
暖房運転時には、冷却水回路の冷却水が抜かれているので、高温再生器から凝縮器内に送り込まれた高温の蒸気冷媒は液化せず、そのまま、蒸発器内に送られる。又、高温再生器から高温の吸収液が蒸発器内に送り込まれる。これにより、蒸発器伝熱管を流れる冷温水が加熱される。
【００２４】
冷房運転時、凝縮器から蒸発器内に送り込まれた液冷媒は、冷温水が流れる蒸発器伝熱管に当たって蒸発し、冷温水を冷却する。そして、冷却された冷温水が冷温水ポンプにより室内熱交換器に供給されて室内熱交換器を通過し、送風ファンが冷風を室内に送風する事により室内冷房が行われる。
又、暖房運転時には、昇温した冷温水が冷温水ポンプにより室内熱交換器に供給されて室内熱交換器を通過し、送風ファンが温風を室内に送風する事により室内暖房が行われる。
【００２５】
冷房運転時、蒸発器で蒸発して吸収器に入った蒸気冷媒は、高温再生器から送られる高濃度吸収液に吸収され、低濃度吸収液となって吸収器内に溜まる。
暖房運転時は、蒸発器内の吸収液が吸収器に進入し、吸収器内に溜まる。
【００２６】
制御器は、冷温水が所定温度を維持する様に加熱源の加熱力を比例制御し、高温再生器温度に対応した回転数で回転する様に溶液ポンプを制御し、吸収器内に溜まった吸収液は高温再生器内に戻される（冷房／暖房運転時）。
【００２７】
制御器は、冷房運転時に、高温再生器の過熱を検知した場合には冷房高温エラーと判定して冷房高温エラー停止処理を指示し、蒸発器の異常低温を検知した場合には冷房低温エラーと判定して冷房低温エラー停止処理を指示し、高温再生器温度センサの故障を検知した場合には冷房強制エラーと判定して冷房強制エラー停止処理を指示し、他のセンサの故障又は他の運転異常を検知した場合には冷房通常エラーと判定して冷房通常エラー停止処理を指示し、暖房運転時に、高温再生器の過熱を検知した場合には暖房高温エラーと判定して暖房高温エラー停止処理を指示し、高温再生器温度センサの故障を検知した場合には暖房強制エラーと判定して暖房強制エラー停止処理を指示し、他のセンサの故障又は他の運転異常を検知した場合には暖房通常エラーと判定して暖房通常エラー停止処理を指示し、吸収式空調装置は指示された各エラー処理を実施してエラー停止する。
【００２８】
〔請求項３について〕
吸収液が入れられた高温再生器は、加熱部が加熱源により加熱される（冷房／暖房運転時）。
冷房運転時、高温再生器内に入れられた低濃度吸収液の冷媒が気化する為、中濃度吸収液と高温の蒸気冷媒とに分離し、中濃度吸収液が低温再生器に送り込まれる。
冷房運転時には各再生器から高温の蒸気冷媒が凝縮器に送り込まれる。
冷房運転時、凝縮器伝熱管には冷却水が流れているので、高温の蒸気冷媒は液化して凝縮器内に溜まる。
【００２９】
暖房運転時には、冷却水回路の冷却水が抜かれているので凝縮器内に送り込まれた高温の蒸気冷媒は液化せず、高温再生器から冷暖切替弁を介して、そのまま蒸発器内に送られる。これにより、蒸発器伝熱管を流れる冷温水が加熱される。
【００３０】
冷房運転時、凝縮器から冷媒弁を介して蒸発器内に送り込まれた液冷媒は、冷温水が流れる蒸発器伝熱管に当たって蒸発し、冷温水を冷却する。そして、冷却された冷温水がタンデムポンプの冷温水ポンプ部により室内熱交換器に供給されて室内熱交換器を通過し、送風ファンが冷風を室内に送風する事により室内冷房が行われる。
又、暖房運転時には、昇温した冷温水が冷温水ポンプにより室内熱交換器に供給されて室内熱交換器を通過し、送風ファンが温風を室内に送風する事により室内暖房が行われる。
【００３１】
冷房運転時、蒸発器で蒸発して吸収器に入った蒸気冷媒は、高温再生器から送られる高濃度吸収液に吸収され、低濃度吸収液となって吸収器内に溜まる。
暖房運転時は、蒸発器内の吸収液が吸収器に進入し、吸収器内に溜まる。
【００３２】
制御器は、冷温水が所定温度を維持する様に加熱源の加熱力を比例制御し、高温再生器温度に対応した回転数で回転する様にタンデムポンプを制御し、吸収器内に溜まった吸収液は高温再生器内に戻される（冷房／暖房運転時）。
【００３３】
制御器は、冷房運転時に、高温再生器の過熱を検知した場合には冷房高温エラーと判定して冷房高温エラー停止処理を指示し、蒸発器の異常低温を検知した場合には冷房低温エラーと判定して冷房低温エラー停止処理を指示し、高温再生器温度センサの短絡・断線を検知した場合には冷房強制エラーと判定して冷房強制エラー停止処理を指示し、他のセンサの短絡・断線又は他の運転異常を検知した場合には冷房通常エラーと判定して冷房通常エラー停止処理を指示し、暖房運転時に、高温再生器の過熱を検知した場合には暖房高温エラーと判定して暖房高温エラー停止処理を指示し、高温再生器温度センサの短絡・断線を検知した場合には暖房強制エラーと判定して暖房強制エラー停止処理を指示し、他のセンサの短絡・断線又は他の運転異常を検知した場合には暖房通常エラーと判定して暖房通常エラー停止処理を指示し、吸収式空調装置は指示された各エラー処理を実施してエラー停止する。
【００３４】
〔請求項４について〕
制御器は、冷房運転時に、高温再生器の過熱を検知した場合には冷房高温エラーと判定して冷房高温エラー停止処理を指示する。この冷房高温エラー停止処理は、加熱源の作動を停止させ、加熱停止から第１所定短時間のあいだ冷媒弁を開弁維持し冷却水ポンプの作動を継続し、第１所定短時間が終了すると冷却水ポンプを停止し冷媒弁を閉弁し、第１所定短時間経過後において高温再生器温度が所定第１高温度以下に低下すると冷暖切替弁及び冷媒弁を開弁維持し、高温再生器温度が更に所定中温度以下に低下するとタンデムポンプを停止し冷媒弁及び冷暖切替弁を閉弁して行う。
【００３５】
制御器は、冷房運転時に、蒸発器の異常低温を検知した場合には冷房低温エラーと判定して冷房低温エラー停止処理を指示する。この冷房低温エラー停止処理は、加熱源の作動を停止させ、加熱停止から第１所定短時間のあいだ冷媒弁を開弁維持し冷却水ポンプの作動を継続し、第１所定短時間が終了すると冷却水ポンプを停止し冷暖切替弁及び冷媒弁を開弁維持し、第１所定短時間経過後において高温再生器温度が所定第２高温度以下に低下すると冷媒弁を閉弁し冷暖切替弁を開弁維持し、高温再生器温度が更に所定中温度以下に低下すると所定中温度以下に低下した時点から第２所定短時間のあいだ冷暖切替弁を開弁維持しタンデムポンプを所定低回転数で回転させ、第２所定短時間が経過すると冷暖切替弁及び前記冷媒弁を閉弁しタンデムポンプを停止して行う。
【００３６】
制御器は、冷房運転時に、高温再生器温度センサの短絡・断線を検知した場合には冷房強制エラーと判定して冷房強制エラー停止処理を指示する。冷房強制エラー停止処理は、加熱源の作動を停止させ、加熱停止から第１所定短時間のあいだ冷媒弁を開弁維持し冷却水ポンプの作動を継続し、第１所定短時間が終了すると冷却水ポンプを停止し冷媒弁を開弁維持し、加熱停止から第１所定時間が経過すると冷暖切替弁及び冷媒弁を開弁維持し、加熱停止から更に第２所定時間が経過すると冷媒弁及び冷暖切替弁を閉弁しタンデムポンプを停止して行う。
【００３７】
制御器は、冷房運転時に、他のセンサの短絡・断線又は他の運転異常を検知した場合には冷房通常エラーと判定して冷房通常エラー停止処理を指示する。冷房通常エラー停止処理は、加熱源の作動を停止させ、加熱停止から第１所定短時間のあいだ冷却水ポンプの作動を継続し、第１所定短時間が終了すると冷却水ポンプを停止し、第１所定短時間経過後において高温再生器温度が所定第１高温度以下に低下すると冷暖切替弁を開弁維持し、高温再生器温度が更に所定中温度以下に低下すると冷暖切替弁を閉弁しタンデムポンプを停止して行う。
【００３８】
制御器は、高温再生器温度センサの短絡・断線を検知した場合には暖房強制エラーと判定して暖房強制エラー停止処理を指示する。暖房強制エラー停止処理は、加熱源の作動を停止させ、加熱停止から第３所定時間のあいだ冷媒弁及び冷暖切替弁を開弁維持しタンデムポンプを所定高回転数で回転させ、加熱停止から第３所定時間経過後において冷媒弁及び冷暖切替弁を閉弁しタンデムポンプを停止して行う。
【００３９】
制御器は、暖房運転時に、高温再生器の過熱を検知した場合には暖房高温エラーと判定して暖房高温エラー停止処理を指示する。又、暖房運転時に、他のセンサの短絡・断線又は他の運転異常を検知した場合には暖房通常エラーと判定して暖房通常エラー停止処理を指示する。暖房高温エラー停止処理及び暖房通常エラー停止処理は、加熱源の作動を停止させ、加熱停止から第３所定短時間のあいだ冷媒弁及び冷暖切替弁を開弁維持し、第３所定短時間経過後において高温再生器温度が所定低温度以下に低下すると冷媒弁及び冷暖切替弁を閉弁しタンデムポンプを停止して行う。
【００４０】
〔請求項５について〕
吸収式空調装置は、エラー停止により冷房・暖房運転が停止すると、解除されるまで再運転を禁止するエラー停止モードに入る。
冷房通常エラーや暖房通常エラーは、エラーの程度が軽いので、これらの通常エラーによるエラー停止モードの解除を、他のエラーによるエラー停止モードの解除より容易にしている。
【００４１】
【発明の効果】
〔請求項１、２、３について〕
吸収式空調装置は、運転不良を七種類に区分し、各運転不良に起因して発生する七種類のエラー（冷房高温エラー、冷房低温エラー、冷房強制エラー、冷房通常エラー、暖房高温エラー、暖房強制エラー、暖房通常エラー）の、各エラーに適した七種類のエラー処理を実施する構成である。
この為、発生した運転不良に適したエラー処理が成されるので、運転不良発生の際に吸収液の晶析を防止できるとともに、再運転の立ち上がり時間を短縮する事ができる。
【００４２】
〔請求項４について〕
吸収式空調装置は、冷房高温エラー、冷房低温エラー、冷房強制エラー、冷房通常エラー、暖房高温エラー、暖房強制エラー、暖房通常エラーが発生すると、夫々、冷房高温エラー停止処理、冷房低温エラー停止処理、冷房強制エラー停止処理、冷房通常エラー停止処理、暖房高温エラー停止処理、暖房強制エラー停止処理、暖房通常エラー停止処理を実施する構成である。
この為、発生した運転不良に適したエラー処理が成されるので、運転不良発生の際に吸収液の晶析を防止できるとともに、再運転の立ち上がり時間を短縮する事ができる。
【００４３】
〔請求項５について〕
吸収式空調装置は、エラーの程度が軽い、冷房通常エラーや暖房通常エラーによるエラー停止モードの解除を、他のエラーによるエラー停止モードの解除より容易にしている。
この為、冷房通常エラーや暖房通常エラーによるエラー停止モードの解除を容易に行えるので吸収式空調装置は、使い勝手に優れる。
【００４４】
【発明の実施の形態】
本発明の一実施例（請求項３、４、５に対応）を、図１〜図１５に基づいて説明する。
図に示す様に、吸収式空調装置Ａは、冷房運転時に冷却水１０を循環させる冷却水回路１と、冷房・暖房運転時に冷温水２０を循環させる冷温水回路２と、高温再生器３、低温再生器４、凝縮器５、蒸発器６、吸収器７、及びタンデムポンプ８０の溶液ポンプ部８０１により構成される吸収液回路８と、制御器９とを具備する。尚、室外機の適所には、外気温サーミスタ、過熱時に開成するバイメタルスイッチ、過熱時に溶断する温度ヒューズ（何れも図示せず）が配設され、バイメタルスイッチ又は温度ヒューズが作動すると吸収式空調装置Ａは安全停止（通常エラー停止）する。
【００４５】
冷却水回路１は、冷却塔ファン１１１を付設した冷却塔１１（室外熱交換器）と、冷却水タンク１２と、冷却水ポンプ１３と、吸収器伝熱管１４、凝縮器伝熱管１５を順に環状接続して構成され、冷房運転時には冷却水ポンプ１３を作動させて冷却水１０を循環させる。
尚、冷却水タンク１２には、タンク内の冷却水１０の高水位／低水位を検出する為のＣＴ・ＨｉレベルセンサとＣＴ・Ｌｏレベルセンサ（何れも図示せず）が配設されている。
【００４６】
冷房運転時、冷却塔ファン１１１は、交流コンデンサモータ１１２により駆動される。尚、交流コンデンサモータ１１２は、トライアックを介してＡＣ- １００Ｖ（何れも図示せず）に接続され、冷却水入水サーミスタ９１により検出される冷却水温が３１．５℃に維持される様に制御器９により回転数が制御される（冷房比例制御時）。
【００４７】
上記冷却水入水サーミスタ９１は、冷却水ポンプ１３- 吸収器伝熱管１４間を接続する冷却水管１０１中に配設され、電気抵抗値が、吸収器伝熱管１４に供給される冷却水１０の温度に対応した値に変化する。
又、凝縮器伝熱管１５の出口側には冷却水出水サーミスタ（図示せず）が配設されている。
【００４８】
そして、暖房運転時には、排水弁開・閉ＳＷを配した排水弁（何れも図示せず）の開弁により冷却水回路１内の冷却水１０は全て抜かれ、交流コンデンサモータ１１２には通電されない。
【００４９】
冷温水回路２は、送風ファン２１１を付設した室内熱交換器２１、シスターン２２、冷温水ポンプ部８０２、蒸発器伝熱管２４を環状接続してなり、タンデムポンプ８０の冷温水ポンプ部８０２により冷温水２０を循環させている。尚、シスターン２２には、シスターン２２内の冷温水２０の高水位／低水位を検出する為のＳＴ・Ｈｉレベルセンサ及びＳＴ・Ｌｏレベルセンサ（図示せず）が配設されている。
【００５０】
高温再生器３は、ガスバーナ３１１によって吸収液（臭化リチウム水溶液）を加熱する沸騰器３１と、沸騰器３１から立設する分離筒３２と、捕集容器３３とにより構成され、冷房運転時、沸騰器３１内の希液３０中に含まれる冷媒（水）を蒸発させて中液３４と蒸気冷媒３５とに分離する。
【００５１】
ガスバーナ３１１は、ブンゼン式であり、ガス電磁弁３１２、３１３、ガス比例弁３１４を連設したガス管３１５によりガスが供給され、燃焼ファン３１６によりインプットに見合った量の燃焼用空気が供給されて燃焼する。
【００５２】
ガスバーナ３１１への点火は、１０秒間のプリパージ及び５秒間の火花放電を行って実施（着火しない場合はリトライ３回迄実施）する。又、ガスバーナ３１１には、燃焼炎を検出する為のフレームロッド（図示せず）が配設されている。
【００５３】
３２１は断熱を図る為の間隙である。又、沸騰器３１の適所には、高温再生器３の温度（希液３０の温度）を検出する為のＨＧＥサーミスタ３０１が配設されている。
【００５４】
室内熱交換器２１に供給される冷温水２０の水温を検出する為の冷温水入水サーミスタ２０１は、室内熱交換器２１の入口側の冷温水配管２９に配設され、電気抵抗値が冷温水２０の水温に対応した値に変化する。
【００５５】
冷房運転時、冷房運転が安定すると、制御器９は、冷温水入水サーミスタ２０１が検出する冷温水２０の温度（平均温度）が７℃になる様にガスバーナ３１１のインプットを比例制御（冷房比例制御）する。
尚、冷房運転中（エラー停止処理中は除外）、制御器９は、蒸発器６のＥＶＡ温度≦１℃で冷媒弁５４を開弁維持し、ＥＶＡ温度≧３℃で閉弁維持する。
【００５６】
暖房運転時、暖房運転が安定すると、制御器９は、冷温水入水サーミスタ２０１が検出する冷温水２０の温度が６０℃になる様に、ガスバーナ３１１のインプットを比例制御（暖房比例制御）する。
【００５７】
冷房運転時は、冷暖切替弁３６が閉弁しているので、中液３４は、中液配管３４１→高温熱交換流路３４２→オリフィス３４３付きの中液配管３４４を経て低温再生器４の上部に送り込まれる。
【００５８】
低温再生器４は、高温再生器３の捕集容器３３を包囲し、冷房運転時には、捕集容器３３から受熱して中液３４を加熱する。これにより、中液３４の一部が気化して濃液４１と蒸気冷媒４２とに分離される。又、冷暖切替弁３６が開弁する暖房運転時には、オリフィス３４３により流路抵抗が生じるので、中液３４は低温再生器４に送り込まれない。
【００５９】
凝縮器５には、暖房運転時、オリフィス５１１付きの蒸気冷媒配管５１を介して高温再生器３から高温の蒸気冷媒３５が若干、送り込まれるが、冷却水１０が凝縮器伝熱管１５内を流れていないので凝縮しない。
【００６０】
冷房運転時には高温再生器３、低温再生器４から蒸気冷媒３５、４２が凝縮器５に送り込まれ、蒸気冷媒３５、４２は、コイル状の凝縮器伝熱管１５を流れる冷却水１０によって冷却され液化し、液冷媒（水）５２は凝縮器５の底部に溜まる。尚、昇温した冷却水１０は、冷却塔１１で冷却される。
【００６１】
蒸発器６は、ＥＶＡサーミスタ６１、及びコイル状（溝付き）の蒸発器伝熱管２４を配設している。
暖房運転時には冷暖切替弁３６が開弁するので、高温再生器３内の高温の吸収液が、冷暖切替弁３６→暖房配管３６１を介して蒸発器６に送り込まれる。又、同時に、凝縮器５からは高温の蒸気冷媒３５が、冷媒配管５３→冷媒弁５４を介して送り込まれる。
【００６２】
又、冷房運転時には、液冷媒５２が、冷媒配管５３→冷媒弁５４→散布器５５を介して蒸発器伝熱管２４に散布され、蒸発器６内は略真空であるので、液冷媒５２は蒸発器伝熱管２４内を流れる冷温水２０から気化熱を奪って蒸発する。そして、冷却された冷温水２０は室内に配置された室内熱交換器２１で室内に送風される空気と熱交換して昇温し、昇温した冷温水２０は再び蒸発器伝熱管２４を通過して冷却される。
【００６３】
吸収器伝熱管１４を配設した吸収器７は、蒸発器６に併設され、上部が蒸発器６と連絡している。
そして、冷房運転時には、蒸発器６で蒸発した蒸気冷媒は上部から吸収器７内に進入し、低温再生器４→濃液配管４１１→低温熱交換流路４１２→濃液配管４１３→散布器７０を介して吸収器伝熱管１４上に散布される濃液４１に吸収され、低濃度となった希液３０は吸収器７の底部に溜まる。
又、暖房運転時、吸収器７には、蒸発器６から高温の吸収液が進入する。
【００６４】
ホール素子（図示せず）が取り付けられたタンデムポンプ８０は、ＡＣ- １００Ｖで動作する三相ＤＣブラシレスモータであり、溶液ポンプ部８０１と冷温水ポンプ部８０２とを具備する。
このタンデムポンプ８０は、冷房運転時、ＨＧＥ温度- 回転数動作線に基づいて回転する様にフィードバック制御される。
【００６５】
又、暖房比例運転時には、別の、ＨＧＥ温度- 回転数動作線に基づいて回転する様にフィードバック制御される。
尚、タンデムポンプ８０（１台）の替わりに、冷温水ポンプと溶液ポンプ（合計２台）とを使用しても良い。
【００６６】
吸収器７の底部に溜まった希液３０（暖房運転時は吸収液）は、希液配管７１→タンデムポンプ８０の溶液ポンプ部８０１→希液配管７２→低温・高温熱交換流路７３→希液配管７４を介して高温再生器３の沸騰器３１に送られる。
【００６７】
制御器９は、つぎに示すセンサ等の信号に基づいて運転状態を監視するとともに、以下のものを制御する。
運転スイッチ、フレームロッド、排水弁閉ＳＷ、排水弁開ＳＷ、電磁安全弁制御トランジスタ、ＳＴ・Ｈｉレベルセンサ、ＳＴ・Ｌｏレベルセンサ、ＣＴ・Ｈｉレベルセンサ、ＣＴ・Ｌｏレベルセンサ、電気抵抗値が外気温に応じた値に変化する外気温サーミスタ（何れも図示せず）、電気抵抗値が沸騰器３１の温度に応じた値に変化するＨＧＥサーミスタ３０１、電気抵抗値が室内熱交換器２１に供給される冷温水２０の温度に応じた値に変化する冷温水入水サーミスタ２０１、冷温水出水サーミスタ、電気抵抗値が蒸発器６の内部温度に応じた値に変化するＥＶＡサーミスタ６１、タンデムポンプ８０、燃焼ファン３１６の回転数に応じたパルスを出力するホール素子（図示せず）、及び電気抵抗値が吸収器伝熱管１４に供給する冷却水１０の温度に応じた値に変化する冷却水入水サーミスタ９１。
【００６８】
排水弁、給水弁２２１、ガス電磁弁３１２、３１３、ガス比例弁３１４、タンデムポンプ８０、冷却水ポンプ１３、冷却塔ファン１１１、冷媒弁５４、燃焼ファン３１６、及び冷暖切替弁３６。
【００６９】
冷房運転又は暖房運転時、吸収式空調装置Ａは、以下の様に作動する。
吸収液が入れられた高温再生器３は、沸騰器３１がガスバーナ３１１により加熱される（冷房／暖房運転時）。
【００７０】
冷房運転時には、希液３０中の冷媒が気化して中液３４と蒸気冷媒３５とに分離する。
冷房運転時（図３参照）は、高温再生器３及び低温再生器４から高温の蒸気冷媒３５、４２が凝縮器５に送り込まれ、暖房運転時（図１０参照）は高温再生器３から蒸気冷媒３５が凝縮器５に送り込まれる。
【００７１】
冷房運転時、凝縮器５から蒸発器６に送り込まれた液冷媒５２は、冷温水２０が流れる蒸発器伝熱管２４に当たって蒸発し、蒸発した蒸気冷媒は吸収器７内に進入し、低温再生器４から送られる濃液４１に吸収され希液３０となって吸収器７内に溜まり、溶液ポンプ部８０１により高温再生器３の沸騰器３１内に戻される。
【００７２】
液冷媒が、冷温水２０が流れる蒸発器伝熱管２４に当たって蒸発する際に冷温水２０を冷却し、冷却された冷温水２０が冷温水ポンプ部８０２により室内熱交換器２１に送られて室内熱交換器２１を通過し、送風ファン２１１により冷風が室内に吹き出される事により室内冷房が行われる。この時、各室内制御器２５は、室温サーミスタ２６が検出する室温が、室温設定器（図示せず）で設定した設定室温になる様に、流量バルブ２７及び送風ファン２１１を制御する。
【００７３】
冷房運転が安定する（冷温水≦９℃；図５のステップｓ１８）と、制御器９は、冷温水入水サーミスタ２０１の出力に基づき、室内熱交換器２１に供給される冷温水２０の温度が７℃になる様に、ガスバーナ３１１のインプットを比例制御する。
又、制御器９は、この冷房比例制御時に、吸収器伝熱管１４へ供給される冷却水１０の温度が３１．５℃に維持される様に冷却塔ファン１１１をフィードバック制御する。
【００７４】
暖房運転の場合は、主に暖房配管３６１を介して、高温再生器３から高温の吸収液が蒸発器６に送り込まれ、蒸発器伝熱管２４を流れる冷温水２０を加熱して降温し、更に吸収器７内に進入して吸収器７内に溜まる。尚、溜まった吸収液は、溶液ポンプ部８０１により高温再生器３の沸騰器３１内に戻される。
【００７５】
高温の吸収液により加熱されて昇温した冷温水２０が、冷温水ポンプ部８０２により室内熱交換器２１に供給されて室内熱交換器２１内を通過し、送風ファン２１１により温風が室内に吹き出される事により室内暖房が行われる。
【００７６】
暖房運転が安定する（冷温水≧５８℃；図１１のステップＳ７）と、制御器９は、冷温水入水サーミスタ２０１の抵抗値に基づいて冷温水温を検出し、室内熱交換器２１に供給される冷温水２０の温度が６０℃になる様に、ガスバーナ３１１のインプットを比例制御（暖房比例制御）する。
又、室内制御器２５は、室温サーミスタ２６が検出する室温が、室温設定器（図示せず）で設定した設定室温になる様に、流量バルブ２７及び送風ファン２１１を制御する。
【００７７】
つぎに、吸収式空調装置Ａの冷房運転時の制御器９の詳細を、図３の作動説明図、及び図４〜図５のフローチャートに基づいて述べる。
使用者が冷房運転スイッチ（図示せず）をオンすると、制御器９のマイクロコンピュータは、図４〜図５のフローチャートに基づいて作動する。
【００７８】
給水弁２２１が開弁する様に指示して、シスターン２２内に水を溜めるクーリングタワー処理（ＣＴ、ＳＴ給水）をステップｓ１で行いステップｓ２に進む。
【００７９】
ステップｓ２で、ＨＧＥサーミスタ３０１の抵抗値に基づいてＨＧＥ温度が５０℃以下であるか否か判別し、ＨＧＥ温度が５０℃以下である場合（ＹＥＳ；コールドスタート）はステップｓ３に進み、５０℃を越える場合（ＮＯ；ホットスタート）はステップｓ１３に進む。
【００８０】
ステップｓ３で点火動作を行い、ガスバーナ３１１が燃焼を開始する。
ステップｓ４で、インプットを２０００ｋｃａｌ／ｈに固定し、冷暖切替弁３６を開弁維持（数秒間）し、タンデムポンプ８０を２４００ｒｐｍ（数秒間）で作動させる。尚、数秒経過の後、冷暖切替弁３６を閉弁し、タンデムポンプ８０を停止する。これにより、吸収液の液面の高さが調整される。
【００８１】
ステップｓ５で、ＨＧＥサーミスタ３０１の抵抗値に基づいてＨＧＥ温度が６０℃以上であるか否か判別し、ＨＧＥ温度が６０℃以上に昇温している場合（ＹＥＳ）はステップｓ６に進む。
【００８２】
ステップｓ６で、インプットを８０００ｋｃａｌ／ｈに固定し、ステップｓ７に進む。
ＨＧＥサーミスタ３０１の抵抗値に基づいてＨＧＥ温度が８０℃以上になっているか否かを判別し、ＨＧＥ温度が８０℃以上になっている場合は、ＨＧＥ温度- 回転数動作線に基づく、タンデムポンプ回転数制御を開始する（ステップｓ７）。
【００８３】
ＨＧＥサーミスタ３０１の抵抗値に基づいてＨＧＥ温度が１００℃以上になっているか否かを判別し、ＨＧＥ温度が１００℃以上になっている場合は、冷却水ポンプ１３及び冷却塔ファン１１１の作動を開始する（ステップｓ８）。
更に、ＨＧＥ温度が１３０℃以上になると、冷媒弁５４を数秒間、開弁する（ステップｓ９）。
【００８４】
ステップｓ１０で、ＨＧＥ温度≧１５０℃又は冷温水温度≦１１℃が成立するか否か判別し、成立する場合（ＹＥＳ）はステップｓ１１に進む。
ステップｓ１１で、インプットを４５００ｋｃａｌ／ｈに固定し、ステップｓ１２に進む。
【００８５】
ステップｓ１２で、冷温水入水サーミスタ２０１の抵抗値に基づいて冷温水温が９℃以下に降温しているか否か判別し、９℃以下に降温している場合（ＹＥＳ）はステップｓ１８に進み、９℃以下に降温していない場合（ＮＯ）はステップｓ１１に戻り、４５００ｋｃａｌ／ｈのインプットでの燃焼を継続する。
【００８６】
ステップｓ１３で点火動作を行い、ガスバーナ３１１が燃焼を開始する。
ステップｓ１４で、インプットを４５００ｋｃａｌ／ｈに固定し、ステップｓ１５に進む。
【００８７】
４５００ｋｃａｌ／ｈのインプットで燃焼中、ＨＧＥ温度が８０℃以上に昇温すると、冷房運転における、ＨＧＥ温度- 回転数動作線に基づく、タンデムポンプ回転数制御を開始する（ステップｓ１５）。
４５００ｋｃａｌ／ｈのインプットで燃焼中、ＨＧＥ温度が１００℃以上に昇温すると、冷却水ポンプ１３及び冷却塔ファン１１１の作動を開始する（ステップｓ１６）。
【００８８】
ステップｓ１７で、冷温水入水サーミスタ２０１の抵抗値に基づいて冷温水２０が９℃以下に降温しているか否か判別し、９℃以下に降温している場合（ＹＥＳ）はステップｓ１８に進む。
【００８９】
ステップｓ１８で、制御器９は、冷温水入水サーミスタ２０１の抵抗値から室内熱交換器２１に供給される冷温水２０の温度を検知するとともに、この冷温水２０の温度が５℃になる様に、ガスバーナ３１１のインプットを比例制御（冷房比例制御）する。
又、制御器９は、この冷房比例制御時に、吸収器伝熱管１４へ供給される冷却水１０の温度が３１．５℃に維持される様に冷却塔ファン１１１をフィードバック制御する。
尚、冷房比例制御中、制御器９は、ＨＧＥ温度- 回転数動作線に基づいて、タンデムポンプ８０を冷房回転数制御する。
【００９０】
ステップｓ１９で、制御器９は、冷温水入水サーミスタ２０１の抵抗値から冷温水２０が５℃未満に降温しているか否か判別し、５℃未満に降温していない場合（ＮＯ）はステップｓ２０に進み、５℃未満に降温している場合（ＹＥＳ）はステップｓ２７に進む。
【００９１】
ステップｓ２０で、室温＜設定温度、であるサーモオフ信号が室内機から送出されているか否かを検知し、送出されている場合（ＹＥＳ）はステップｓ２１に進み、送出されていない場合（ＮＯ）はステップｓ１８に戻る。
【００９２】
ステップｓ２１で、制御器９は、ガス電磁弁３１２、３１３を閉弁してガスバーナ３１１の燃焼を停止し、ステップｓ２２に進む。
ステップｓ２２で、室温＞設定温度、であるというサーモオフ立ち上げ信号が室内機から送出されているか否かを検知し、送出されている場合（ＹＥＳ）はステップｓ２５に進み、送出されていない場合（ＮＯ）はステップｓ２３に進む。
【００９３】
ステップｓ２２でＮＯから数秒が経過すると、ステップｓ２３で冷却水ポンプ１３を停止し（既に停止状態にある場合は停止を維持）ステップｓ２４に進む。
ＨＧＥ温度≦１１０℃になるとタンデムポンプ８０の回転数を９００ｒｐｍとし、ステップｓ２２に戻る（ステップｓ２４）。
【００９４】
ステップｓ２５で点火動作を行い、ガスバーナ３１１が燃焼を開始する。
ステップｓ２６で、インプットを３５００ｋｃａｌ／ｈに固定し、ステップｓ１５に戻る。
【００９５】
ステップｓ２７で、制御器９は、ガス電磁弁３１２、３１３を閉弁してガスバーナ３１１の燃焼を停止し、ステップｓ２８に進む。
ステップｓ２８で、冷温水入水サーミスタ２０１の抵抗値から冷温水２０が７℃を越えているか否か判別し、越えている場合（ＹＥＳ）はステップｓ３１に進み、越えていない場合（ＮＯ）はステップｓ２９に進む。
【００９６】
ＨＧＥ温度が１００℃以下に降温するとタンデムポンプ８０の回転数を９００ｒｐｍとし、冷暖切替弁３６を開弁維持し、冷却水ポンプ１３を停止する（ステップｓ２９）。
ＨＧＥ温度が９０℃未満に降温するとタンデムポンプ８０の回転数を２４００ｒｐｍとし、冷却水ポンプ１３を停止し、ステップｓ２８に戻る（ステップｓ３０）。
【００９７】
ステップｓ３１で、点火動作を行い、ガスバーナ３１１が燃焼を開始する。  ステップｓ３２で、インプットを３５００ｋｃａｌ／ｈに固定し、ステップｓ１５に戻る。
【００９８】
つぎに、吸収式空調装置Ａの暖房運転時の制御器９の詳細を、図１０の作動説明図、及び図１１〜図１２のフローチャートに基づいて述べる。
使用者が暖房運転スイッチ（図示せず）をオンすると、制御器９のマイクロコンピュータは、図１１〜図１２のフローチャートに基づいて作動する。
【００９９】
ステップＳ１で排水弁（図示せず）を開弁維持して、冷却水回路１の冷却水１０の水を抜く排水処理を行う。
【０１００】
排水処理が終了すると、ステップＳ２で、制御器９は、ＨＧＥサーミスタ３０１の抵抗値に基づいてＨＧＥ温度が５０℃以上であるか否か判別し、ＨＧＥ＜５０℃の場合（コールドスタート；ＮＯ）はステップＳ３に進み、ＨＧＥ≧５０℃の場合（ホットスタート；ＹＥＳ）はステップＳ６に進む。
【０１０１】
ステップＳ３で、制御器９は、点火動作を行い、ガスバーナ３１１が燃焼を開始する。又、冷暖切替弁３６及び冷媒弁５４を開弁維持する。
ステップＳ４で、制御器９は、インプットを２０００ｋｃａｌ／ｈにし、ステップＳ５に進む。
【０１０２】
ステップＳ５で、ＨＧＥサーミスタ３０１の抵抗値に基づいてＨＧＥ温度が５０℃以上に昇温しているか否か判別し、昇温している場合（ＹＥＳ）はステップＳ７に進み、昇温していない場合（ＮＯ）はステップＳ４に戻り、２０００ｋｃａｌ／ｈのインプットでの燃焼を継続する。
ステップＳ６で、制御器９は、点火動作を行い、ガスバーナ３１１が燃焼を開始する。又、冷暖切替弁３６及び冷媒弁５４を開弁維持する。
【０１０３】
ステップＳ７で、制御器９は、冷温水入水サーミスタ２０１の抵抗値から冷温水２０の水温を検出するとともに、該水温が６０℃に維持される様に、ガスバーナ３１１のインプットを暖房比例制御する。
【０１０４】
ステップＳ８で、制御器９は、ＨＧＥ温度が６０℃以上に昇温しているか否かを、冷温水入水サーミスタ２０１の抵抗値に基づいて判別し、昇温している場合（ＹＥＳ）はステップＳ９に進み、昇温していない場合（ＮＯ）はステップＳ７に戻る。
【０１０５】
ＨＧＥ温度が６０℃以上に昇温している場合（ステップＳ８でＹＥＳ）、制御器９は、タンデムポンプ８０の暖房回転数制御（ＨＧＥ温度- 回転数動作線に基づくフィードバック制御）を開始する（ステップＳ９）。
【０１０６】
ステップＳ１０で、制御器９は、室内熱交換器２１に供給される冷温水２０が６２℃以上に昇温しているか否か冷温水入水サーミスタ２０１の抵抗値に基づいて判別し、昇温している場合（ＹＥＳ）はステップＳ１８に進み、昇温していない場合（ＮＯ）はステップＳ１１に進む。
【０１０７】
ステップＳ１１で、制御器９は、室温＞設定温度、であるというサーモオフ信号が室内機から送出されているか否かを判別し、送出されている場合（ＹＥＳ）はステップＳ１２に進み、送出されていない場合（ＮＯ）はステップＳ７に戻って暖房比例制御を継続する。
【０１０８】
ステップＳ１２で、ガスバーナ３１１の消火を指示する。
ステップＳ１３で、制御器９は、燃焼ファン３１６を停止する。尚、タンデムポンプ８０の暖房回転数制御（ＨＧＥ温度- 回転数動作線制御）は継続する。
【０１０９】
ステップＳ１４で、燃焼停止から数秒間、冷媒弁５４及び冷暖切替弁３６を強制開弁し、ステップＳ１５に進む。
ステップＳ１５で、ＨＧＥサーミスタ３０１の抵抗値に基づいてＨＧＥ温度が９０℃以下に降温しているか否か判別し、降温している場合（ＹＥＳ）はステップＳ１６に進む。
【０１１０】
ステップＳ１６で、タンデムポンプ８０を停止し、冷媒弁５４及び冷暖切替弁３６を閉弁し、ステップＳ１７に進む。
ステップＳ１７で、制御器９は、室温＜設定温度、であるというサーモオフ立ち上げ信号が室内機から送出されているか否かを判別し、送出されている場合（ＹＥＳ）はステップＳ２に戻って立ち上げ（サーモオフ立ち上げ）を実施し、送出されていない場合（ＮＯ）はステップＳ１６に戻る。
【０１１１】
ステップＳ１８で、ガスバーナ３１１の消火を指示する。
ステップＳ１９で、制御器９は、燃焼ファン３１６を停止する。尚、タンデムポンプ８０の暖房回転数制御（ＨＧＥ温度- 回転数動作線制御）は継続する。
【０１１２】
ステップＳ２０で、制御器９は、室内熱交換器２１に供給される冷温水２０が６０℃以下に降温しているか否か、冷温水入水サーミスタ２０１の抵抗値に基づいて判別し、降温している場合（ＹＥＳ）はステップＳ２に戻って立ち上げ（暖房オフ立ち上げ）を実施し、降温していない場合（ＮＯ）はステップＳ１９に戻る。
【０１１３】
つぎに、冷房運転の場合に、後述する原因により、冷房通常エラー、冷房高温エラー、冷房低温エラー、冷房強制エラーが発生した場合に実施される、冷房通常エラー停止処理、冷房高温エラー停止処理、冷房低温エラー停止処理、冷房強制エラー停止処理について説明する。
【０１１４】
〔冷房通常エラー⇒冷房通常エラー停止処理〕
冷房運転中に、以下の(1) 〜(27)の何れかに示す運転不良が発生した場合に、冷房通常エラーとし、吸収式空調装置Ａは、後述する冷房通常エラー停止処理（図６に示す）を実施する。
(1) 点火動作時（図４、図５のステップｓ３、ｓ１３、ｓ２５、ｓ３１）において、リトライを３回行ってもフレームロッドが燃焼炎を検出しない場合。
【０１１５】
(2) ガスバーナ３１１が燃焼中に燃焼炎の未検出が所定時間以上、続いた場合。又は、バイメタルスイッチ又は温度ヒューズが作動した場合。
【０１１６】
(3) ＣＴ、ＳＴ給水時（図４のステップｓ１）において、十数分を越えてもＣＴ・Ｈｉレベルセンサがオンしない場合。
ＣＴ・ＨｉレベルセンサとＣＴ・Ｌｏレベルセンサの論理が矛盾（所定時間以上連続）する場合。
【０１１７】
(4) ＣＴ、ＳＴ給水時（図４のステップｓ１）において、十数分を越えてもＳＴ・Ｈｉレベルセンサがオンしない場合。
ＳＴ・ＨｉレベルセンサとＳＴ・Ｌｏレベルセンサの論理が矛盾（所定時間以上連続）する場合。
【０１１８】
(5) ＥＶＡサーミスタ６１を接続した接続線の抵抗値が∞大になり、ＣＰＵ入力電圧が断線レベル（冷房運転時において所定時間連続）になった場合。
(6) ＥＶＡサーミスタ６１を接続した接続線の抵抗値がゼロになり、ＣＰＵ入力電圧が短絡レベル（冷房運転時において所定時間連続）になった場合。
(7) 蒸発器６が過熱してＥＶＡサーミスタ６１の抵抗値が低下し、ＣＰＵ入力電圧が高温レベル（冷房運転時において６０℃- 数秒間連続）になった場合。
【０１１９】
(8) 冷温水入水サーミスタ２０１を接続した接続線の抵抗値が∞大になり、ＣＰＵ入力電圧が断線レベル（冷房運転時において所定時間連続）になった場合。
(9) 冷温水入水サーミスタ２０１を接続した接続線の抵抗値がゼロになり、ＣＰＵ入力電圧が短絡レベル（冷房運転時において所定時間連続）になった場合。
(10)冷温水２０の入水水温が異常昇温して冷温水入水サーミスタ２０１の抵抗値が低下し、ＣＰＵ入力電圧が異常高温レベル（冷房運転時において８５℃- 所定時間連続）になった場合。
(11)冷温水２０の入水水温が異常低下して冷温水入水サーミスタ２０１の抵抗値が上昇し、ＣＰＵ入力電圧が異常低温レベル（冷房運転時において０℃- 所定時間連続）になった場合。
【０１２０】
(12)冷温水出水サーミスタを接続した接続線の抵抗値が∞大になり、ＣＰＵ入力電圧が断線レベル（冷房運転時において所定時間連続）になった場合。
(13)冷温水出水サーミスタを接続した接続線の抵抗値がゼロになり、ＣＰＵ入力電圧が短絡レベル（冷房運転時において所定時間連続）になった場合。
(14)冷温水２０の出水水温が異常昇温して冷温水出水サーミスタの抵抗値が低下し、ＣＰＵ入力電圧が異常高温レベル（冷房運転時において８０℃- 数秒間連続）になった場合。
(15)冷温水２０の出水水温が異常低下して冷温水出水サーミスタの抵抗値が上昇し、ＣＰＵ入力電圧が異常低温レベル（冷房運転時において０℃- 数秒間連続）になった場合。
【０１２１】
(16)冷却水入水サーミスタ９１を接続した接続線の抵抗値が∞大になり、ＣＰＵ入力電圧が断線レベル（冷房運転時において所定時間連続）になった場合。
(17)冷却水入水サーミスタ９１を接続した接続線の抵抗値がゼロになり、ＣＰＵ入力電圧が短絡レベル（冷房運転時において所定時間連続）になった場合。
(18)冷却水１０の出水水温が異常昇温して冷却水入水サーミスタ９１の抵抗値が低下し、ＣＰＵ入力電圧が異常高温レベル（冷却水ポンプ１３回転時において３８℃- 数秒間連続）になった場合。
(19)冷却水１０の出水水温が異常低下して冷却水入水サーミスタ９１の抵抗値が上昇し、ＣＰＵ入力電圧が異常低温レベル（冷房運転時において１０℃- 数秒間連続）になった場合。
【０１２２】
(20)外気温サーミスタを接続した接続線の抵抗値が∞大になり、ＣＰＵ入力電圧が断線レベル（冷房運転時において所定時間連続）になった場合。
(21)外気温サーミスタを接続した接続線の抵抗値がゼロになり、ＣＰＵ入力電圧が短絡レベル（冷房運転時において所定時間連続）になった場合。
(22)外気温サーミスタの近傍が異常昇温して外気温サーミスタの抵抗値が低下し、ＣＰＵ入力電圧が異常高温レベル（冷房運転時において７０℃- 所定時間連続）になった場合。
【０１２３】
(23)燃焼ファン３１６、冷却塔ファン１１１の回転必要時において、燃焼ファン３１６、冷却塔ファン１１１の回転が検知されない（所定時間以上）場合。
(24)排水弁の開／閉指示に対し、排水弁開・閉ＳＷが対応しない（数秒間連続）場合（冷房運転時）。
(25)雷等の外部ノイズにより、マイクロコンピュータがリセットした場合（冷房運転時）。
【０１２４】
(26)電磁弁出力論理チェックエラー（数秒間連続）の場合。
(27)フレームロッド、燃焼状態検出回路等の故障により、ガスバーナ３１１の点火前に炎電流が所定時間連続して検出される場合。
【０１２５】
上記の(1) 〜(27)の何れかに示す運転不良（冷房通常エラー）が発生すると、吸収式空調装置Ａは、図６に示す冷房通常エラー停止処理を実施する。
ステップｓ１１０で燃焼を停止する。
尚、燃焼ファン３１６をポスト回転数で回転させ、タンデムポンプ８０をＨＧＥ温度に応じた回転数で回転させ、冷暖切替弁３６を閉弁維持し、冷却水ポンプ１３の作動を継続し、室内機の燃焼ランプ（図示せず）を点滅状態にする。
【０１２６】
ステップｓ１１１で１０秒が経過したか否か判別し、１０秒が経過する（ＹＥＳ）とステップｓ１１２に進む。
ステップｓ１１２で冷却水ポンプ１３を停止し、ステップｓ１１３に進む。
ステップｓ１１３で、ＨＧＥ温度が１２５℃以下に降温したか否か判別し、降温している場合（ＹＥＳ）はステップｓ１１４に進む。
【０１２７】
ステップｓ１１４で、燃焼ファン３１６を停止する。
ステップｓ１１５で、冷暖切替弁３６を開弁状態にし、ステップｓ１１６に進む。
ステップｓ１１６で、ＨＧＥ温度が１１０℃以下に降温したか否か判別し、降温している場合（ＹＥＳ）はステップｓ１１７に進み、降温していない場合（ＮＯ）はステップｓ１１５に戻る。
【０１２８】
ステップｓ１１７で、タンデムポンプ８０を停止し、冷暖切替弁３６を閉弁する。これにより、吸収式空調装置Ａはエラー停止モードに入る。
ステップｓ１１８で、室内機に配設される冷房運転スイッチ（図示せず）がオフされたか否か判別し、オフされない間（ＮＯ）はエラー停止モードを継続し、オフされた場合（ＹＥＳ）はエラー停止モードを解除するとともに、燃焼ランプの点滅を停止し、消灯する。
【０１２９】
〔冷房高温エラー⇒冷房高温エラー停止処理〕
以下の(1) 〜(2) の何れかに示す運転不良が発生した場合に、冷房高温エラーとし、吸収式空調装置Ａは、後述する冷房高温エラー停止処理（図７に示す）を実施している。
(1) 冷房運転時、ＨＧＥ温度が１７５℃以上に昇温した場合。
又は、ＨＧＥ温度１６０℃以上で、５秒間に３℃以上の温度上昇がある場合。
(2) 制御器９のマイクロコンピュータが出力する回転指示値と、ホール素子により検出されるタンデム回転数とが大幅に異なる（以下に示す）場合。
タンデムポンプ８０の起動時にタンデム回転数が５００ｒｐｍ以下（数秒間連続）の場合。
ＨＧＥ温度- 回転数動作線に対し、タンデム回転数が±３００ｒｐｍの範囲を越える状態が数秒間以上連続する場合。
【０１３０】
上記の(1) 〜(2) の何れかに示す運転不良（冷房高温エラー）が発生すると、吸収式空調装置Ａは、図７に示す冷房高温エラー停止処理を実施する。
ステップｓ１２０で燃焼を停止する。
尚、燃焼ファン３１６をポスト回転数で回転させ、タンデムポンプ８０をＨＧＥ温度に応じた回転数で回転させ、冷暖切替弁３６を閉弁維持し、冷媒弁５４を開弁維持し、冷却水ポンプ１３の作動を継続し、流量バルブ２７を１５分間、開弁維持し、室内機の燃焼ランプ（図示せず）を点滅状態にする。
【０１３１】
ステップｓ１２１で１０秒が経過したか否か判別し、１０秒が経過する（ＹＥＳ）とステップｓ１２２に進む。
ステップｓ１２２で冷却水ポンプ１３を停止し、ステップｓ１２３に進む。
ステップｓ１２３で冷媒弁５４を閉弁する。
ステップｓ１２４で、ＨＧＥ温度が１２５℃以下に降温したか否か判別し、降温している場合（ＹＥＳ）はステップｓ１２５に進む。
【０１３２】
ステップｓ１２５で、燃焼ファン３１６を停止する。
ステップｓ１２６で、冷媒弁５４及び冷暖切替弁３６を開弁状態にし、ステップｓ１２７に進む。
ステップｓ１２７で、ＨＧＥ温度が１１０℃以下に降温したか否か判別し、降温している場合（ＹＥＳ）はステップｓ１２８に進み、降温していない場合（ＮＯ）はステップｓ１２６に戻る。
【０１３３】
ステップｓ１２８で、タンデムポンプ８０を停止し、冷媒弁５４及び冷暖切替弁３６を閉弁する。これにより、吸収式空調装置Ａはエラー停止モードに入る。
ステップｓ１２９で、室外機に配設される電源運転スイッチ（図示せず）がオフされたか否か判別し、オフされない間（ＮＯ）はエラー停止モードを継続し、オフされた場合（ＹＥＳ）はエラー停止モードが解除されるとともに、燃焼ランプの点滅が停止し、消灯する。
【０１３４】
〔冷房低温エラー⇒冷房低温エラー停止処理〕
以下に示す運転不良が発生した場合に、冷房低温エラーとし、吸収式空調装置Ａは、後述する冷房低温エラー停止処理（図８参照）を実施する。
冷房運転時、ＥＶＡ温度（ＥＶＡサーミスタ６１により検出される）が、連続数秒間、０℃以下である場合。
【０１３５】
上記の運転不良（冷房低温エラー）が発生すると、吸収式空調装置Ａは、図８に示す冷房低温エラー停止処理を実施する。
ステップｓ１３０で燃焼を停止する。
尚、燃焼ファン３１６をポスト回転数で回転させ、タンデムポンプ８０をＨＧＥ温度に応じた回転数で回転させ、冷暖切替弁３６を閉弁維持し、冷媒弁５４を開弁維持し、冷却水ポンプ１３の作動を継続し、室内機の燃焼ランプ（図示せず）を点滅状態にする。
【０１３６】
ステップｓ１３１で１０秒が経過したか否か判別し、１０秒が経過する（ＹＥＳ）とステップｓ１３２に進む。
ステップｓ１３２で冷却水ポンプ１３を停止し、ステップｓ１３３に進む。
ステップｓ１３３で、冷媒弁５４及び冷暖切替弁３６を開弁状態にし、ステップｓ１３４に進む。
【０１３７】
ステップｓ１３４でＨＧＥ温度が１３０℃以下に降温したか否か判別し、降温している場合（ＹＥＳ）はステップｓ１３５に進み、降温していない場合（ＮＯ）はステップｓ１３３に戻る。
【０１３８】
ステップｓ１３５で冷媒弁５４を閉弁し、ステップｓ１３６に進む。
ステップｓ１３６で冷暖切替弁３６を開弁状態にする。
ステップｓ１３７でＨＧＥ温度が１１０℃以下に降温したか否か判別し、降温している場合（ＹＥＳ）はステップｓ１３８に進み、降温していない場合（ＮＯ）はステップｓ１３６に戻る。
【０１３９】
ステップｓ１３８で、タンデムポンプ８０の回転数を１８００ｒｐｍに固定し、冷暖切替弁３６を開弁状態にし、ステップｓ１３９に進む。
ステップｓ１３９で、燃焼停止から２０秒が経過したか否か判別し、経過している場合（ＹＥＳ）はステップｓ１４０に進み、経過していない場合（ＮＯ）はステップｓ１３８に戻る。
【０１４０】
ステップｓ１４０で、冷暖切替弁３６を閉弁し、タンデムポンプ８０を停止し、燃焼ファン３１６を停止し、ステップｓ１４１に進む。これにより、吸収式空調装置Ａはエラー停止モードに入る。
ステップｓ１４１で、室外機に配設される電源運転スイッチ（図示せず）がオフされたか否か判別し、オフされない間（ＮＯ）はエラー停止モードを継続し、オフされた場合（ＹＥＳ）はエラー停止モードが解除されるとともに、燃焼ランプの点滅が停止し、消灯する。
【０１４１】
〔冷房強制エラー⇒冷房強制エラー停止処理〕
以下の(1) 〜(2) の何れかに示す運転不良が発生した場合に、冷房強制エラーとし、吸収式空調装置Ａは、後述する冷房強制エラー停止処理（図９参照）を実施する。
【０１４２】
(1) ＨＧＥサーミスタ３０１を接続した接続線の抵抗値が∞大、又はＨＧＥ温度＝０℃相当の抵抗値（冷房運転時において数秒間連続）になった場合。
(2) ＨＧＥサーミスタ３０１を接続した接続線の抵抗値がゼロになり、ＣＰＵ入力電圧が短絡レベル（冷房運転時において所定時間連続）になった場合。
【０１４３】
上記の(1) 〜(2) に示す運転不良（冷房強制エラー）が発生すると、吸収式空調装置Ａは、図９に示す冷房強制エラー停止処理を実施する。
ステップｓ１５０で燃焼を停止する。
尚、燃焼ファン３１６をポスト回転数で回転させ、タンデムポンプ８０を２４００ｒｐｍで回転させ、冷暖切替弁３６を閉弁維持し、冷媒弁５４を開弁維持し、冷却水ポンプ１３の作動を継続し、室内機の燃焼ランプ（図示せず）を点滅状態にする。
【０１４４】
ステップｓ１５１で燃焼停止から１０秒が経過しているか否か判別し、１０秒が経過している場合（ＹＥＳ）、ステップｓ１５２に進む。
ステップｓ１５２で冷却水ポンプ１３を停止し、冷媒弁５４を開弁状態にし、ステップｓ１５３に進む。
【０１４５】
ステップｓ１５３で燃焼停止から３分４０秒が経過しているか否か判別し、３分４０秒が経過している場合（ＹＥＳ）はステップｓ１５４に進む。
ステップｓ１５４で、冷媒弁５４及び冷暖切替弁３６を開弁状態にし、ステップｓ１５５に進む。
【０１４６】
ステップｓ１５５で燃焼停止から４分１０秒が経過しているか否か判別し、４分１０秒が経過している場合（ＹＥＳ）はステップｓ１５６に進み、経過していない場合はステップｓ１５４に戻る。
【０１４７】
ステップｓ１５６で、冷媒弁５４及び冷暖切替弁３６を閉弁し、タンデムポンプ８０を停止し、燃焼ファン３１６を停止し、ステップｓ１５７に進む。これにより、吸収式空調装置Ａはエラー停止モードに入る。
【０１４８】
ステップｓ１５７で、室外機に配設される電源運転スイッチ（図示せず）がオフされたか否か判別し、オフされない間（ＮＯ）はエラー停止モードを継続し、オフされた場合（ＹＥＳ）はエラー停止モードが解除されるとともに、燃焼ランプの点滅が停止し、消灯する。
【０１４９】
つぎに、暖房運転の場合に、後述する原因により、暖房通常エラー、暖房高温エラー、暖房強制エラーが発生した場合に実施される、暖房通常エラー停止処理、暖房高温エラー停止処理、暖房強制エラー停止処理について説明する。
【０１５０】
〔暖房通常エラー⇒暖房通常エラー停止処理〕
暖房運転中に、以下の(1) 〜(22)の何れかに示す運転不良が発生した場合に、暖房通常エラーとし、吸収式空調装置Ａは、後述する暖房通常エラー停止処理（図１３参照）を実施する。
(1) 点火動作時（図１１のステップＳ３、Ｓ６）において、リトライを３回行ってもフレームロッドが燃焼炎を検出しない場合。
【０１５１】
(2) ガスバーナ３１１が燃焼中に燃焼炎の未検出が所定時間以上、続いた場合。
又は、バイメタルスイッチ又は温度ヒューズが作動した場合。
【０１５２】
(3) 排水処理時（図１１のステップＳ１）において、ＳＴ・ＨｉレベルセンサとＳＴ・Ｌｏレベルセンサの論理が矛盾（所定時間以上連続）する場合。
【０１５３】
(4) ＥＶＡサーミスタ６１を接続した接続線の抵抗値が∞大になり、ＣＰＵ入力電圧が断線レベル（暖房運転時において所定時間連続）になった場合。
(5) ＥＶＡサーミスタ６１を接続した接続線の抵抗値がゼロになり、ＣＰＵ入力電圧が短絡レベル（暖房運転時において所定時間連続）になった場合。
(6) 蒸発器６が過熱して、ＥＶＡサーミスタ６１の抵抗値が低下し、ＣＰＵ入力電圧が高温レベル（暖房運転時において８５℃- 所定時間連続）になった場合。
【０１５４】
(7) 冷温水入水サーミスタ２０１を接続した接続線の抵抗値が∞大になり、ＣＰＵ入力電圧が断線レベル（暖房運転時において所定時間連続）になった場合。
(8) 冷温水入水サーミスタ２０１を接続した接続線の抵抗値がゼロになり、ＣＰＵ入力電圧が短絡レベル（暖房運転時において所定時間連続）になった場合。
(9) 冷温水２０の入水水温が異常昇温して冷温水入水サーミスタ２０１の抵抗値が低下し、ＣＰＵ入力電圧が異常高温レベル（暖房運転時において８５℃- 所定時間連続）になった場合。
(10)冷温水２０の入水水温が異常低下して冷温水入水サーミスタ２０１の抵抗値が上昇し、ＣＰＵ入力電圧が異常低温レベル（暖房運転時において０℃- 所定時間連続）になった場合。
【０１５５】
(11)冷温水出水サーミスタを接続した接続線の抵抗値が∞大になり、ＣＰＵ入力電圧が断線レベル（暖房運転時において所定時間連続）になった場合。
(12)冷温水出水サーミスタを接続した接続線の抵抗値がゼロになり、ＣＰＵ入力電圧が短絡レベル（暖房運転時において所定時間連続）になった場合。
(13)冷温水２０の出水水温が異常昇温して冷温水出水サーミスタの抵抗値が低下し、ＣＰＵ入力電圧が異常高温レベル（暖房運転時において８０℃- 数秒間連続）になった場合。
(14)冷温水２０の出水水温が異常低下して冷温水出水サーミスタの抵抗値が上昇し、ＣＰＵ入力電圧が異常低温レベル（暖房運転時において０℃- 数秒間連続）になった場合。
【０１５６】
(15)外気温サーミスタを接続した接続線の抵抗値が∞大になり、ＣＰＵ入力電圧が断線レベル（暖房運転時において所定時間連続）になった場合。
(16)外気温サーミスタを接続した接続線の抵抗値がゼロになり、ＣＰＵ入力電圧が短絡レベル（暖房運転時において所定時間連続）になった場合。
(17)外気温サーミスタの近傍が異常昇温して外気温サーミスタの抵抗値が低下し、ＣＰＵ入力電圧が異常高温レベル（冷房運転時において７０℃- 所定時間連続）になった場合。
【０１５７】
(18)燃焼ファン３１６の回転必要時において、燃焼ファン３１６の回転が検知されない（所定時間以上）場合。
(19)排水弁の開／閉指示に対し、排水弁開・閉ＳＷが対応しない（数秒間連続）場合（暖房運転時）。
(20)雷等の外部ノイズにより、マイクロコンピュータがリセットした場合（暖房運転時）。
【０１５８】
(21)電磁弁出力論理チェックエラー（数秒）の場合。
(22)フレームロッド、燃焼状態検出回路等の故障により、ガスバーナ３１１の点火前に炎電流が検出される（所定時間連続）場合。
【０１５９】
上記の(1) 〜(22)の何れかに示す運転不良（暖房通常エラー）が発生すると、吸収式空調装置Ａは、図１３に示す暖房通常エラー停止処理を実施する。
ステップＳ１１０で燃焼を停止する。
尚、燃焼ファン３１６をポスト回転数で回転させ、室内機の流量バルブ２７を６分間、開弁維持し、タンデムポンプ８０をＨＧＥ温度に応じた回転数で回転させ、冷暖切替弁３６を開弁維持し、冷媒弁５４を開弁維持し、室内機の燃焼ランプ（図示せず）を点滅状態にする。
【０１６０】
ステップＳ１１１で５秒が経過したか否か判別し、５秒が経過する（ＹＥＳ）とステップＳ１１２に進む。
ステップＳ１１２で、ＨＧＥ温度が９０℃以下に降温したか否か判別し、降温している場合（ＹＥＳ）はステップＳ１１３に進む。
【０１６１】
ステップＳ１１３で、燃焼ファン３１６を停止し、タンデムポンプ８０を停止し、冷媒弁５４を閉弁し、冷暖切替弁３６を閉弁する。これにより、吸収式空調装置Ａはエラー停止モードに入る。
【０１６２】
ステップＳ１１４で、室内機に配設される冷房運転スイッチ（図示せず）がオフされたか否か判別し、オフされない間（ＮＯ）はエラー停止モードを継続し、オフされた場合（ＹＥＳ）はエラー停止モードを解除するとともに、燃焼ランプの点滅を停止し、消灯する。
【０１６３】
〔暖房高温エラー⇒暖房高温エラー停止処理〕
以下の(1) 〜(2) の何れかに示す運転不良が発生した場合に、暖房高温エラーとし、吸収式空調装置Ａは、後述する暖房高温エラー停止処理（図１４参照）を実施する。
(1) 暖房運転時、ＨＧＥ温度が１５０℃以上（所定時間継続）に昇温した場合。
(2) 制御器９のマイクロコンピュータが出力する回転指示値と、ホール素子により検出されるタンデム回転数とが大幅に異なる（以下に示す）場合。
タンデムポンプ８０の起動時にタンデム回転数が５００ｒｐｍ以下（数秒間連続）の場合。
ＨＧＥ温度- 回転数動作線に対し、タンデム回転数が±３００ｒｐｍの範囲を越える状態が数秒以上連続する場合。
【０１６４】
上記の(1) 〜(2) の何れかに示す運転不良（暖房高温エラー）が発生すると、吸収式空調装置Ａは、図１４に示す暖房高温エラー停止処理を実施する。
ステップＳ１２０で燃焼を停止する。
尚、燃焼ファン３１６をポスト回転数で回転させ、タンデムポンプ８０をＨＧＥ温度に応じた回転数で回転させ、冷暖切替弁３６を開弁維持し、冷媒弁５４を開弁維持し、冷却水ポンプ１３の作動を継続し、流量バルブ２７を６分間、開弁維持し、室内機の燃焼ランプ（図示せず）を点滅状態にする。
【０１６５】
ステップＳ１２１で５秒が経過したか否か判別し、５秒が経過する（ＹＥＳ）とステップＳ１２２に進む。
ステップＳ１２２で、ＨＧＥ温度が９０℃以下に降温したか否か判別し、降温している場合（ＹＥＳ）はステップＳ１２３に進む。
【０１６６】
ステップＳ１２３で、燃焼ファン３１６を停止し、タンデムポンプ８０を停止し、冷媒弁５４及び冷暖切替弁３６を閉弁する。これにより、吸収式空調装置Ａはエラー停止モードに入る。
ステップＳ１２４で、室外機に配設される電源運転スイッチ（図示せず）がオフされたか否か判別し、オフされない間（ＮＯ）はエラー停止モードを継続し、オフされた場合（ＹＥＳ）はエラー停止モードが解除されるとともに、燃焼ランプの点滅が停止し、消灯する。
【０１６７】
〔暖房強制エラー⇒暖房強制エラー停止処理〕
以下の(1) 〜(2) の何れかに示す運転不良が発生した場合に、暖房強制エラーとし、吸収式空調装置Ａは、後述する暖房強制エラー停止処理（図１５参照）を実施する。
【０１６８】
(1) ＨＧＥサーミスタ３０１を接続した接続線の抵抗値が∞大、又はＨＧＥ温度＝０℃相当の抵抗値（暖房運転時において数秒間連続）になった場合。
(2) ＨＧＥサーミスタ３０１を接続した接続線の抵抗値がゼロになり、ＣＰＵ入力電圧が短絡レベル（暖房運転時において所定時間連続）になった場合。
【０１６９】
上記の(1) 〜(2) の何れかに示す運転不良（暖房強制エラー）が発生すると、吸収式空調装置Ａは、図１５に示す暖房強制エラー停止処理を実施する。
ステップＳ１３０で燃焼を停止する。
尚、燃焼ファン３１６をポスト回転数で回転させ、タンデムポンプ８０を２４００ｒｐｍで回転させ、冷暖切替弁３６及び冷媒弁５４を開弁維持し、室内機の流量バルブ２７を６分間、開弁維持し、室内機の燃焼ランプ（図示せず）を点滅状態にする。
【０１７０】
ステップＳ１３１で燃焼停止から４分が経過しているか否か判別し、４分が経過している場合（ＹＥＳ）、ステップＳ１３２に進む。
ステップＳ１３２で、燃焼ファン３１６を停止し、タンデムポンプ８０を停止し、冷媒弁５４及び冷暖切替弁３６を閉弁し、ステップＳ１３３に進む。これにより、吸収式空調装置Ａはエラー停止モードに入る。
【０１７１】
ステップＳ１３３で、室外機に配設される電源運転スイッチ（図示せず）がオフされたか否か判別し、オフされない間（ＮＯ）はエラー停止モードを継続し、オフされた場合（ＹＥＳ）はエラー停止モードが解除されるとともに、燃焼ランプの点滅が停止し、消灯する。
【０１７２】
つぎに、本実施例の吸収式空調装置Ａの利点を述べる。
〔ア〕吸収式空調装置Ａは、運転不良に起因して生じるエラーを、冷房高温エラー（冷房時に高温再生器３が過熱したり、過熱を招く運転不良；図７参照）、冷房低温エラー（蒸発器６が異常低温となって凍結する虞がある運転不良；図８参照）、冷房強制エラー（冷房時にＨＧＥサーミスタ３０１が短絡や断線した運転不良；図９参照）、冷房通常エラー（冷房時に点火ミスや途中失火等の運転不良；図６参照）、暖房高温エラー（暖房時に高温再生器３が過熱したり、過熱を招く運転不良；図１４参照）、暖房強制エラー（暖房時にＨＧＥサーミスタ３０１が短絡や断線した運転不良；図１５参照）、及び暖房通常エラー（暖房時に点火ミスや途中失火等の運転不良；図１３参照）の七種類に区分し、エラーの種別に応じて、夫々、冷房高温エラー停止処理、冷房低温エラー停止処理、冷房強制エラー停止処理、冷房通常エラー停止処理、暖房高温エラー停止処理、暖房強制エラー停止処理、暖房通常エラー停止処理を実施する構成である。
【０１７３】
この為、発生した運転不良に適したエラー処理が成されるので、吸収液の晶析を起こさずに運転停止させる事ができるとともに、再運転（エラー停止モードを解除し、エラー原因を除去した後）の立ち上がり時間を短縮する事ができる。
【０１７４】
〔イ〕ＨＧＥサーミスタ３０１が断線や短絡した場合でも、エラー処理（冷房／暖房強制エラー停止処理）が時間で管理されて適切に行われるので、吸収液を晶析させずに吸収式空調装置Ａを安全に運転停止させる事ができる。
【０１７５】
〔ウ〕点火ミスや途中失火等の軽度の運転不良により生じた冷房／暖房通常エラー停止モードの解除は、冷房／暖房運転スイッチを一旦、オフする事により行う構成であるので、手間がかからず、使い勝手に優れる。
【０１７６】
本発明は、上記実施例以外に、つぎの実施態様を含む。
ａ．上記実施例において、吸収液回路８を、以下の構成に変更しても良く、吸収式空調装置Ａに準じた効果を有する（請求項１に対応）。
吸収液回路は、吸収液が入れられ加熱部がガスバーナ等の加熱源により加熱される再生器、凝縮器伝熱管を配設し再生器から高温の蒸気冷媒が送り込まれる凝縮器、暖房運転時には高温の吸収液及び蒸気冷媒が送り込まれ冷房運転時には凝縮器で液化した液冷媒を蒸発させる蒸発器、該蒸発器に併設され吸収器伝熱管を配設し冷房運転時には蒸発器で蒸発した蒸気冷媒を再生器から送られる濃縮吸収液に吸収させる吸収器、及び吸収器内の吸収液を再生器に戻す溶液ポンプを有する。
この様に、吸収液回路８を一重効用にすると、二重効用（吸収式空調装置Ａ）のものに比べ冷房・暖房効率は落ちるが、吸収式空調装置の構造を簡単にする事ができる。
【０１７７】
ｂ．加熱源は、ガスバーナ以外に、電気ヒータ等でも良い。
ｃ．暖房運転の際、床暖房も行うシステムの場合には、暖房比例制御時の冷温水２０の制御を７０℃とし（図１１のステップＳ７）、図１２のステップＳ１０を冷温水≧７２℃、ステップＳ２０を冷温水≦７０℃とすれば良い。
【図面の簡単な説明】
【図１】  本発明の一実施例に係る吸収式空調装置の原理説明図である。
【図２】  その吸収式空調装置のシステム図である。
【図３】  その吸収式空調装置を冷房運転させた場合の作動説明図である。
【図４】  その吸収式空調装置の冷房運転時の作動を示すフローチャートである。
【図５】その吸収式空調装置の冷房運転時の作動を示すフローチャートである。
【図６】冷房通常エラー発生時における、冷房通常エラー停止処理の作動を示すフローチャートである。
【図７】冷房高温エラー発生時における、冷房高温エラー停止処理の作動を示すフローチャートである。
【図８】冷房低温エラー発生時における、冷房低温エラー停止処理の作動を示すフローチャートである。
【図９】冷房強制エラー発生時における、冷房強制エラー停止処理の作動を示すフローチャートである。
【図１０】その吸収式空調装置を暖房運転させた場合の作動説明図である。
【図１１】  その吸収式空調装置の暖房運転時の作動を示すフローチャートである。
【図１２】  その吸収式空調装置の暖房運転時の作動を示すフローチャートである。
【図１３】  暖房通常エラー発生時における、暖房通常エラー停止処理の作動を示すフローチャートである。
【図１４】暖房高温エラー発生時における、暖房高温エラー停止処理の作動を示すフローチャートである。
【図１５】暖房強制エラー発生時における、暖房強制エラー停止処理の作動を示すフローチャートである。
【図１６】従来の吸収式空調装置における、エラー発生時の、エラー停止処理の作動を示すフローチャートである。
【符号の説明】
Ａ  吸収式空調装置
１  冷却水回路
２  冷温水回路
３  高温再生器
４  低温再生器
５  凝縮器
６  蒸発器
７  吸収器
８  吸収液回路
９  制御器
１０  冷却水
１１  冷却塔（室外熱交換器）
１３  冷却水ポンプ
１４  吸収器伝熱管
１５  凝縮器伝熱管
２０  冷温水
２１  室内熱交換器
２４  蒸発器伝熱管
３０  希液（低濃度吸収液）
３１  沸騰器（加熱部）
３４  中液（中濃度吸収液）
３５、４２  蒸気冷媒
３６  冷暖切替弁
４１  濃液（高濃度吸収液）
５４  冷媒弁
６１  ＥＶＡサーミスタ（蒸発器温度センサ）
８０  タンデムポンプ
２０１  冷温水入水サーミスタ（冷温水センサ）
２１１  送風ファン
３０１  ＨＧＥサーミスタ（高温再生器温度センサ）
３１１  ガスバーナ（加熱源）
８０１  溶液ポンプ部（溶液ポンプ）
８０２  冷温水ポンプ部（冷温水ポンプ）
【図１】
0003660413.tif 000002
【図２】
0003660413.tif 000003
【図３】
0003660413.tif 000004
【図４】
0003660413.tif 000005
【図５】
0003660413.tif 000006
【図６】
0003660413.tif 000007
【図７】
0003660413.tif 000008
【図８】
0003660413.tif 000009
【図９】
0003660413.tif 000010
【図１０】
0003660413.tif 000011
【図１１】
0003660413.tif 000012
【図１２】
0003660413.tif 000013
【図１３】
0003660413.tif 000014
【図１４】
0003660413.tif 000015
【図１５】
0003660413.tif 000016
【図１６】
0003660413.tif 000017